(57)【要約】  中空糸膜モジュール１０は、束状の複数の中空糸膜１４を有する中空糸膜束１５と、中空糸膜束１５が収容される内部空間Ｓ１が形成されたハウジング１３と、内部空間Ｓ１に中空糸膜１４の洗浄用の気体を分散させる気体供給部２と、を備える。内部空間Ｓ１は、中空糸膜１４の長手方向の中央よりも上側部分が位置する上部空間Ｓ１１と、中空糸膜１４の長手方向の中央よりも下側部分が位置する下部空間Ｓ１２と、を有する。気体供給部２には、上部空間Ｓ１１の位置でハウジング１３内に気体を分散させる管用通気孔５４Ａ，５４Ｂ（上側気体供給部）と、下部空間Ｓ１２よりも下側の位置でハウジング１３内に気体を分散させる散気用通気孔４３（下側気体供給部）と、が設けられている。
2017086313.tif 000002
【特許請求の範囲】
【請求項１】
外圧濾過式の中空糸膜モジュールであって、
束状の複数の中空糸膜を有する中空糸膜束と、
前記中空糸膜束が収容される内部空間が形成されたハウジングと、
前記内部空間に中空糸膜の洗浄用の気体を分散させる気体供給部と、を備え、
前記内部空間は、前記中空糸膜の長手方向の中央よりも上側部分が位置する上部空間と、前記中空糸膜の長手方向の中央よりも下側部分が位置する下部空間と、を有し、
前記気体供給部には、前記上部空間の位置で前記ハウジング内に気体を分散させる上側気体供給部と、前記下部空間よりも下側の位置で前記ハウジング内に気体を分散させる下側気体供給部と、が設けられている、中空糸膜モジュール。
【請求項２】
前記気体供給部は、
前記下部空間よりも下側の位置に配置され、前記中空糸膜束の径方向に広がった形状を有し、前記径方向に間隔を空けて複数の散気用通気孔が形成された散気部材と、
前記中空糸膜束の内側を上下方向に延びるように配置され、少なくとも前記上部空間に位置する部位において複数の管用通気孔が間隔を空けて形成された管部材と、を含み、
前記上側気体供給部は、前記管部材の前記上部空間に位置する部位に形成された前記管用通気孔により構成され、
前記下側気体供給部は、前記散気部材に形成された前記散気用通気孔により構成されている、請求項１に記載の中空糸膜モジュール。
【請求項３】
前記管用通気孔は、前記上部空間及び前記下部空間に位置する部位に形成され、
前記中空糸膜により濾過される原水が、前記上部空間及び前記下部空間に位置する前記管用通気孔を通って前記ハウジング内に供給されるように構成されている、請求項２に記載の中空糸膜モジュール。
【請求項４】
前記管用通気孔は、前記上部空間に位置する部位においてのみ形成されている、請求項２に記載の中空糸膜モジュール。
【請求項５】
前記管部材と前記散気部材とに対して各々異なる気体供給手段が設けられている、請求項２〜４の何れか１項に記載の中空糸膜モジュール。
【請求項６】
前記散気部材は、
前記中空糸膜束の径方向に広がった形状を有し、前記散気用通気孔が前記径方向に間隔を空けて複数形成された板状の本体部と、
一方端が前記本体部の下面に接続されると共に他方端側に気体の受け口が形成された筒形状を有し、前記筒内に収容された気体を前記散気用通気孔へ導くための分散孔が形成された気体受け部と、を含み、
前記気体受け部は、前記一方端から前記他方端に向かって内径が広がる形状を有する、請求項２〜５の何れか１項に記載の中空糸膜モジュール。
【請求項７】
前記気体供給部は、前記中空糸膜束の内側を上下方向に延びるように配置され、複数の管用通気孔が間隔を空けて形成された管部材を含み、
前記管部材には、前記下部空間よりも下側に位置する下側管内空間と、前記下側管内空間よりも上側に位置する上側管内空間と、を仕切る仕切部が設けられ、
前記上側管内空間及び前記下側管内空間の各々に気体を供給するための気体供給手段が設けられ、
前記上側気体供給部は、前記上側管内空間に面し、かつ前記上部空間に位置する前記管部材の部位に形成された前記管用通気孔により構成され、 
前記下側気体供給部は、前記下側管内空間に面する前記管部材の部位に形成された前記管用通気孔により構成されている、請求項１に記載の中空糸膜モジュール。
【請求項８】
前記ハウジングには、前記内部空間の気体及び液体を系外へ排出するための抜き口が設けられ、
前記管用通気孔は、前記抜き口の下面よりも上側及び下側にそれぞれ形成されている、請求項２〜７の何れか１項に記載の中空糸膜モジュール。
【請求項９】
前記管用通気孔は、周方向において前記上部空間に位置する部位に前記下部空間に位置する部位よりも多数形成されている、請求項２〜８の何れか１項に記載の中空糸膜モジュール。
【請求項１０】
前記中空糸膜束は、前記中空糸膜の上端が固定されると共に、下端において前記中空糸膜が一本ずつ固定されない片端フリータイプである、請求項１〜９の何れか１項に記載の中空糸膜モジュール。
【請求項１１】
束状の複数の中空糸膜を有する中空糸膜束がハウジングの内部空間に収容された構成の外圧濾過式の中空糸膜モジュールにおいて、充水された前記内部空間に気体を分散させて前記中空糸膜を洗浄する中空糸膜モジュールの洗浄方法であって、
前記内部空間は、前記中空糸膜の長手方向の中央よりも上側部分が位置する上部空間と、前記中空糸膜の長手方向の中央よりも下側部分が位置する下部空間と、を有し、
前記下部空間よりも下側の位置で前記ハウジング内に気体を分散させることにより前記中空糸膜を洗浄する下側バブリング工程と、
前記下側バブリング工程が実施された後、前記上部空間の位置で前記ハウジング内に気体を分散させることにより前記中空糸膜を洗浄する上側バブリング工程と、を備えた、中空糸膜モジュールの洗浄方法。
【請求項１２】
前記下側バブリング工程及び前記上側バブリング工程の少なくとも一方において、前記ハウジング内に気体を予め定められた時間供給するバブリングオンと、前記ハウジング内への気体の供給を予め定められた時間停止するバブリングオフと、を繰り返す間欠バブリングを実施する、請求項１１に記載の中空糸膜モジュールの洗浄方法。
【請求項１３】
前記下側バブリング工程のみにおいて前記間欠バブリングを実施する、請求項１２に記載の中空糸膜モジュールの洗浄方法。
【請求項１４】
前記下側バブリング工程では、前記内部空間において前記中空糸膜の長手方向に沿って原水の水流を発生させると共に、前記内部空間において前記中空糸膜の長手方向に沿って前記水流に対して反対向きの気泡流を発生させる向流バブリングを実施する、請求項１１〜１３の何れか１項に記載の中空糸膜モジュールの洗浄方法。
【請求項１５】
前記上側バブリング工程では、前記内部空間に配置された管部材の複数の孔から前記上部空間に向けて原水及び気体を同時に噴出する気液洗浄を実施する、請求項１１〜１４の何れか１項に記載の中空糸膜モジュールの洗浄方法。
【請求項１６】
前記ハウジング内の水が抜かれた状態で、前記内部空間に配置された管部材の複数の孔から前記内部空間に向けて水をシャワー状に噴出させて前記中空糸膜束を洗浄するシャワー洗浄工程をさらに備えた、請求項１１〜１５の何れか１項に記載の中空糸膜モジュールの洗浄方法。
【発明の詳細な説明】
【技術分野】
【０００１】
本発明は、中空糸膜モジュール及びその洗浄方法に関する。
【背景技術】
【０００２】
従来、水中の不純物を除去する水処理において、束状の複数の中空糸膜を有する中空糸膜モジュールが用いられている。水処理の濾過工程では、中空糸膜モジュールに設けられた原水入口を通じて原水（濾過前の水）がモジュール内に供給され、膜を通過した濾過水がモジュールに設けられた濾過水出口を通じてモジュール外に排出される。【０００３】
中空糸膜モジュールでは、水処理の濾過工程が行われると、水中から除去された物質（浮遊汚濁物質（ＳＳ：Ｓｕｓｐｅｎｄｅｄ  Ｓｏｌｉｄｓ））が膜表面に堆積する。このように、膜表面に堆積した浮遊汚濁物質を効率的に除去することは重要な課題の一つである。【０００４】
一般に、浮遊汚濁物質の除去は、いわゆる逆洗（逆圧洗浄）によって行われる。逆洗工程では、膜表面に付着した浮遊汚濁物質を膜から浮かせるために、濾過工程とは逆方向の流体の流れがモジュール内に形成される。すなわち、濾過水出口を通じて気体や液体などの流体がモジュール内に供給され、膜を通過した流体が原水入口を通じてモジュール外に排出される。【０００５】
このように、逆洗工程が行われることによって膜表面から部分的に浮いた状態となった浮遊汚濁物質は、その後、バブリング工程が行われることによって膜表面から剥がれ落とされる。このバブリング工程では、モジュール内に水が充填された状態で空気が供給され、供給された空気の気泡によって膜が揺らされることで、膜表面の浮遊汚濁物質が剥がれ落ちる。下記特許文献１及び２には、バブリング工程においてモジュール内に空気を分散させるための構成を備えた中空糸膜モジュールが開示されている。【０００６】
下記特許文献１の中空糸膜モジュールでは、中空糸膜の下端よりも下方に給気ヘッダー及び空気分散器が設けられており、給気ヘッダーから供給された空気が空気分散器によって分散誘導される。下記特許文献２では、中空糸膜束の中央に配置されたパイプの下部側面に細孔が形成されており、当該細孔からハウジング内に空気が供給される。【０００７】
下記特許文献１では、中空糸膜の下端よりも下方に給気ヘッダー及び空気分散器が設けられており、当該空気分散器によって中空糸膜の下端側で気体が分散される。この場合、中空糸膜の下端から上昇する気体によりバブリングが行われるが、下端においては膜表面に付着した浮遊汚濁物質を除去することができる一方で、上端においては除去効果が不十分になる。【０００８】
また下記特許文献２では、中空糸膜の下端近傍に位置する細孔からバブリング用の気体を供給する構造となっている。そのため、下記特許文献１と同様に、中空糸膜の下端においては浮遊汚濁物質を除去できる一方で、上端においては十分に除去することができない。従って、従来の中空糸膜モジュールでは、バブリング工程において中空糸膜の全体に亘って膜表面を洗浄することが困難であった。
【先行技術文献】
【特許文献】
【０００９】
【特許文献１】特開平１１−３３３６７号公報
【特許文献２】特開平７−１３６４６９号公報
【発明の概要】
【００１０】
本発明の目的は、バブリング工程において中空糸膜全体を洗浄することを可能とする中空糸膜モジュール及びその洗浄方法を提供することである。
【００１１】
本発明の一局面に係る中空糸膜モジュールは、外圧濾過式の中空糸膜モジュールであって、束状の複数の中空糸膜を有する中空糸膜束と、前記中空糸膜束が収容される内部空間が形成されたハウジングと、前記内部空間に中空糸膜の洗浄用の気体を分散させる気体供給部と、を備える。前記内部空間は、前記中空糸膜の長手方向の中央よりも上側部分が位置する上部空間と、前記中空糸膜の長手方向の中央よりも下側部分が位置する下部空間と、を有する。前記気体供給部には、前記上部空間の位置で前記ハウジング内に気体を分散させる上側気体供給部と、前記下部空間よりも下側の位置で前記ハウジング内に気体を分散させる下側気体供給部と、が設けられている。
【００１２】
本発明の他の局面に係る中空糸膜モジュールの洗浄方法は、束状の複数の中空糸膜を有する中空糸膜束がハウジングの内部空間に収容された構成の外圧濾過式の中空糸膜モジュールにおいて、充水された前記内部空間に気体を分散させて前記中空糸膜を洗浄する中空糸膜モジュールの洗浄方法である。前記内部空間は、前記中空糸膜の長手方向の中央よりも上側部分が位置する上部空間と、前記中空糸膜の長手方向の中央よりも下側部分が位置する下部空間と、を有する。上記中空糸膜モジュールの洗浄方法は、前記下部空間よりも下側の位置で前記ハウジング内に気体を分散させることにより前記中空糸膜を洗浄する下側バブリング工程と、前記下側バブリング工程が実施された後、前記上部空間の位置で前記ハウジング内に気体を分散させることにより前記中空糸膜を洗浄する上側バブリング工程と、を備える。
【図面の簡単な説明】
【００１３】
【図１】本発明の実施形態１における濾過装置の構成を示す模式図である。
【図２】本発明の実施形態１における中空糸膜モジュールの構成を示す図である。
【図３】上記中空糸膜モジュールに備えられた散気部材の平面構造を示す図である。
【図４】図３中の線分ＩＶ−ＩＶに沿った散気部材の断面構造を示す図である。
【図５】図２中の線分Ｖ−Ｖに沿った導水管の断面構造を示す図である。
【図６】図２中の領域ＶＩにおける導水管の拡大図である。
【図７】上記濾過装置の基本的な運転プログラムを示す図である。
【図８】本発明の実施形態２における中空糸膜モジュールの構成を示す図である。
【図９】本発明の実施形態３における中空糸膜モジュールの構成を示す図である。
【図１０】本発明の実施形態３における散気部材の構成を示す図である。
【図１１】本発明の実施形態４における濾過装置の構成を示す図である。
【図１２】本発明の実施形態４における中空糸膜モジュールの構成を示す図である。
【図１３】本発明の実施形態５における中空糸膜モジュールの構成を示す図である。
【図１４】本発明の実施形態５の変形例における導水管の構成を示す断面図である。
【図１５】本発明の実施形態６における導水管の構成を示す断面図である。
【図１６】本発明のその他実施形態における導水管の構成を示す図である。
【図１７】本発明の実施形態７の中空糸膜モジュールの洗浄方法における濾過装置の運転プログラムを示す図である。
【図１８】本発明の実施形態７の中空糸膜モジュールの洗浄方法における向流バブリング工程を説明するための図である。
【図１９】ハウジング内において液面が下がる様子を説明するための模式図である。
【図２０】ハウジング内において液面が下がる様子を説明するための模式図である。
【図２１】ハウジング内において液面が下がる様子を説明するための模式図である。
【図２２】本発明の実施形態７の変形例における濾過装置の運転プログラムを示す図である。
【図２３】本発明の実施形態８の中空糸膜モジュールの洗浄方法における濾過装置の運転プログラムを示す図である。
【図２４】本発明の実施形態９の中空糸膜モジュールの洗浄方法における濾過装置の運転プログラムを示す図である。
【図２５】本発明の実施形態１０の中空糸膜モジュールの洗浄方法における濾過装置の運転プログラムを示す図である。
【図２６】本発明の実施形態１０の変形例における濾過装置の運転プログラムを示す図である。
【図２７】本発明の実施形態１０の変形例における濾過装置の運転プログラムを示す図である。
【発明を実施するための形態】
【００１４】
以下、図面に基づいて、本発明の実施形態につき詳細に説明する。
【００１５】
（実施形態１）
［濾過装置、中空糸膜モジュール］
まず、本発明の実施形態１に係る中空糸膜モジュール１０を備えた濾過装置１の構成について、図１及び図２を参照して説明する。図１は、濾過装置１の構成を示す概略図である。図２は、中空糸膜モジュール１０の構成を示す概略図である。
【００１６】
濾過装置１は、中空糸膜の外表面側に原液を供給し、内表面側から濾液を取り出す外圧濾過式の装置である。濾過装置１は、外圧濾過式の中空糸膜モジュール１０と、送液ポンプ２０と、エアーコンプレッサー３０と、これらを接続する配管及び当該配管に設けられた開閉バルブと、制御装置４０と、を有する。
【００１７】
図２に示すように、中空糸膜モジュール１０は、複数の中空糸膜１４が上端１４Ｂにおいて固定部材３により束状に固定された中空糸膜束１５と、中空糸膜束１５が収容される内部空間Ｓ１が形成されたハウジング１３と、ハウジング１３内に原水を導入するための導水管（管部材）５と、ハウジング１３内に供給された気体を分散させるための散気部材４と、を有する。
【００１８】
中空糸膜束１５は、複数の中空糸膜１４の上端１４Ｂが開口した状態で固定部材３により固定され、下端１４Ａが１本ずつ固定されない状態で封止された片端フリータイプである。固定部材３は、複数の中空糸膜１４の上端１４Ｂを収束固定する。固定部材３は、中空糸膜１４を濾過膜として機能させるため、ハウジング１３内の空間を原水側の内部空間Ｓ１と濾液側の空間Ｓ２とに液密に仕切る。固定部材３には、エポキシ樹脂、不飽和ポリエステル樹脂、ポリウレタン樹脂などの熱硬化性樹脂が使用される。中空糸膜束１５と固定部材３との接着方法としては、遠心接着法、静置接着法などがある。
【００１９】
中空糸膜１４の素材としては、種々の材料を用いることができ、特に限定されない。例えば、ポリエチレン、ポリプロピレン、ポリアクリロニトリル、エチレン−テトラフルオロエチレン共重合体、ポリクロロトリフルオロエチレン、ポリテトラフルオロエチレン、ポリビニルフルオライド、テトラフルオロエチレン−ヘキサフルオロプロピレン共重合体、テトラフルオロエチレン−パーフルオロアルキルビニルエーテル共重合体、クロロトリフルオロエチレン−エチレン共重合体、ポリフッ化ビニリデン、ポリスルホン、酢酸セルロース、ポリビニルアルコール及びポリエーテルスルホンからなる群から選ばれる少なくとも１種類を含んでいるのが好ましく、膜強度や耐薬品性の観点でポリフッ化ビニリデン（ＰＶＤＦ）がより好ましい。
【００２０】
中空糸膜１４は、親水化されていることが好ましい。中空糸膜１４は、０．１重量％以上１０重量％以下の親水性樹脂を含有することにより、親水化されている。親水性樹脂としては、ポリビニルピロリドン、セルロースエステル、エチレン−ビニルアルコール、ポリビニルアルコールなどの樹脂を用いることができるが、親水性が高いという観点からポリビニルアルコールが特に好ましい。
【００２１】
中空糸膜１４は、アセタール化により高温の水に対して不溶性とされることが好ましい。アセタール化することにより、抽出処理時及び実際の使用時における親水性樹脂の過度の溶出を防ぐことができる。アセタール化は、アルデヒド化合物を含有する酸水溶液中で中空糸膜１４を処理することにより行うことができる。アルデヒドとしては、ホルムアルデヒド、グリオキサール、グルタルアルデヒド、マロンジアルデヒド、ノナンジアールなどのアルデヒドを用いることができる。また酸としては、硫酸、塩酸、硝酸などの強酸を用いることが好ましい。
【００２２】
中空糸膜１４は、純水透過速度が下記の式を満たすフッ化ビニリデン系樹脂多孔中空糸膜であることが好ましい。
【００２３】
（ＦＬＵＸｄ／ＦＬＵＸｗ）×１００≧４０．０
上記の式において、「ＦＬＵＸｄ」は、乾燥中空糸膜の純水透過速度（Ｌ/ｍ２/ｈｒ/９８ｋＰａ）を示し、「ＦＬＵＸｗ」は、湿潤中空糸膜の純水透過速度（Ｌ/ｍ２/ｈｒ/９８ｋＰａ）を示す。
【００２４】
中空糸膜モジュール１０では、二次側から空気による加圧洗浄が行われる。ここで、中空糸膜１４の純水透過速度が上記の式の範囲を満たさない場合には、膜が乾燥し、ＳＳ排出性が低下する場合がある。即ち、（ＦＬＵＸｄ／ＦＬＵＸｗ）×１００が４０より小さい場合には、繰り返し使用する間に中空糸膜１４が乾燥してしまう。そして、乾燥した膜部分には水が透過しなくなるため濾過機能が失われ、一方で濾過機能を有する膜部分への負荷が大きくなり、排出性能が低下する傾向がある。
【００２５】
中空糸膜１４は、膜間差圧０．１ＭＰａにおける透水量が１０００〜４００００Ｌ／ｍ２／時であることが好ましく、１０００〜３００００Ｌ／ｍ２／時であることがより好ましく、１０００〜２００００Ｌ／ｍ２／時であることがさらに好ましい。透水量が少な過ぎると、透過性能が劣る傾向がある。一方で透水量が多過ぎると、分画特性が低下する傾向がある。よって、透水量を上記範囲内にすることで、透過性能及び分画特性により優れた中空糸膜１４を得ることができる。
【００２６】
中空糸膜１４の透水量は、以下のようにして測定することができる。まず、有効膜長さが２０ｃｍである中空糸膜１４を２０本束ねた中空糸膜モジュール１０が作製される。この時、中空状の上端１４Ｂが固定部材３に貫通し、一方で下端１４Ａの中空部がエポキシ系樹脂により封止される。この中空糸膜モジュール１０を用いて、中空糸膜１４の外周面側から純水が濾過され、上端１４Ｂの内周面側から濾過水が得られる。この時、膜間差圧が０．１ＭＰａになるように調整され、その時得られた透過性能を膜間差圧０．１ＭＰａにおける中空糸膜１４の透水量として測定することができる。
【００２７】
中空糸膜モジュール１０は、外圧濾過式のものであり、膜分離処理の条件や要求される性能に応じて外圧全量濾過式又は外圧循環濾過式であってもよい。膜寿命の点では、濾過膜の表面洗浄を同時に行うことができる外圧循環濾過式が好ましく、設備の単純さ、設置コスト、運転コストの点では外圧全量濾過式が好ましい。
【００２８】
中空糸膜束１５は、中空糸膜１４の本数が多くなるに従いモジュール当たりの膜面積が高くなるため、濾過流量を高くして運転することができるが、一方で洗浄時における浮遊汚濁物質の排出効率が低下する。そのため、中空糸膜１４の外径ｄｉ（ｍ）、中空糸膜１４の本数ｎ（本）及びハウジング１３の断面積Ｓ（ｍ２）により計算される膜充填率１００πｎｄｉ２／４Ｓ（％）が１０〜６０％であることが好ましく、２０〜５０％であることがより好ましい。
【００２９】
ハウジング１３は、上面１３Ａ及び下面１３Ｃと、これらを接続する側面１３Ｂと、を有する筒形状からなる。ハウジング１３は中空糸膜束１５が収容される内部空間Ｓ１を有し、当該内部空間Ｓ１は中空糸膜１４の長手方向の中央よりも上側部分が位置する上部空間Ｓ１１と、中空糸膜１４の長手方向の中央よりも下側部分が位置する下部空間Ｓ１２と、に分けられる。
【００３０】
ハウジング１３の上面１３Ａには、濾液を取り出すための濾液配管５１が接続され、当該濾液配管５１には濾液出口５２及び濾液側気体入口５３が設けられている。側面１３Ｂにおいて固定部材３の直下には、内部空間Ｓ１内の気体を系外に排出するための気体抜き口１１が設けられている。気体抜き口１１は、上部空間Ｓ１１の開口部である。側面１３Ｂにおいて下面１３Ｃの真上には、内部空間Ｓ１内の液体を系外に排出するためのドレン抜き口１２が設けられている。下面１３Ｃの中央近傍には、内部空間Ｓ１内に気体を供給するための散気用気体入口７が設けられている。
【００３１】
気体抜き口１１には気体抜き配管６１が接続され、これを介してハウジング１３内の気体が系外に排出される。気体抜き配管６１には気体排出口バルブ６２が設けられ、これを開くことでハウジング１３内から気体が抜かれる。また、ドレン抜き口１２にはドレン配管４１が接続され、これを介してハウジング１３内の液体が外に排出される。ドレン配管４１には原液排出口バルブ４２が設けられ、これを開くことでハウジング１３から液体が排出される。
【００３２】
ハウジング１３の材質としては、ＳＵＳ、変性ＰＰＥ、ポリ塩化ビニル、ポリスルホン、ポリカーボネート、ポリオレフィン、ＡＢＳ樹脂などが用いられる。ハウジング１３の内面に固定部材３が接着固定されることにより、いわゆる一体型モジュールが構成されていてもよい。また、固定部材３の外周部にＯ−リングやパッキングなどが取り付けられ、固定部材３がハウジング１３に対して着脱可能かつ液密に装着されていてもよい。この場合、固定部材３を取り外して中空糸膜束１５を交換し、ハウジング１３を繰り返し使用することができる。
【００３３】
導水管５は、ハウジング１３の下面１３Ｃ中央を貫通すると共に上面１３Ａに向かって延びる姿勢で配置され、上端が固定部材３に接続されている。導水管５は、下端側に原液入口９が設けられ、かつ側面に導水管用気体入口８が設けられている。導水管５によれば、原液入口９から導入された濾過前の原水のみをハウジング１３内に供給することができ、また導水管用気体入口８から導入された気体のみをハウジング１３内に供給することができ、また原水及び気体の両方をハウジング１３内に供給することができる。
【００３４】
散気部材４は、散気用気体入口７からハウジング１３内に供給された気体を、中空糸膜束１５の径方向に広がるように分散させるための部材である。散気部材４は、下部空間Ｓ１２よりも下側の位置に配置されており、中央部に導水管５が貫通している。導水管５及び散気部材４の詳細な構造については後述する。
【００３５】
送液ポンプ２０は、原液導入配管２１を介して導水管５の原液入口９に接続されている。原液導入配管２１には、配管内における原液の流通及び遮断を切り替える原液導入バルブ２２が設けられている。送液ポンプ２０は、原液導入配管２１を介して導水管５内に原液を供給する。
【００３６】
エアーコンプレッサー３０は、第１気体導入配管３１を介して濾液側気体入口５３に接続され、第２気体導入配管３２を介して散気用気体入口７に接続され、第３気体導入配管３３を介して導水管用気体入口８に接続されている。第１気体導入配管３１には配管内における気体の流通及び遮断を切り替える第１気体導入バルブ３４が設けられ、第２及び第３気体導入配管３２，３３にも同様に第２及び第３気体導入バルブ３５，３６が設けられている。このように、本実施形態では、導水管５に対する気体供給手段としての第３気体導入配管３３及び第３気体導入バルブ３６と、散気部材４に対する気体供給手段としての第２気体導入配管３２及び第２気体導入バルブ３５と、が別々に設けられている。
【００３７】
制御装置４０は、送液ポンプ２０及びエアーコンプレッサー３０の駆動を制御し、かつ各バルブの開閉動作を制御する。制御装置４０は、例えばパーソナルコンピュータなどによって構成されている。制御装置４０は、濾過プロセスにおいて順次実行される各工程（充水、濾過、逆洗、バブリング、排水など）のシーケンス情報が格納された記憶部と、当該シーケンス情報に従って各装置の駆動及びバルブの開閉を制御する制御部と、を有する。
【００３８】
［散気部材、導水管］
次に、散気部材４及び導水管５の詳細な構造について、図２〜図５を参照して説明する。図３は、散気部材４の平面構造を示している。図４は、図３中の線分ＩＶ−ＩＶに沿った散気部材４の断面構造を示している。図５は、図２中の線分Ｖ−Ｖに沿った導水管５の断面構造を示している。上記中空糸膜モジュール１０は、ハウジング１３の内部空間Ｓ１に中空糸膜１４の洗浄用の気体（例えば空気）を分散させる気体供給部２を有し、当該気体供給部２は、散気部材４と、導水管５と、を有する。
【００３９】
散気部材４は、中空糸膜１４の下端１４Ａよりも下側に配置されている。散気部材４は、中空糸膜束１５の径方向に広がった形状を有し、周縁部が中空糸膜束１５よりも径方向外側に位置している。散気部材４には、ハウジング１３内に気体を分散させるための複数の散気用通気孔４３が径方向に間隔を空けて形成されている。
【００４０】
散気部材４は、中空糸膜束１５の径方向に広がった形状を有し、複数の散気用通気孔４３が形成された円板状の本体部４４と、本体部４４の周縁部に接続された周壁部４７と、本体部４４の下面に接続された円筒状の気体受け部４５と、を有し、これらが一体に形成されている。
【００４１】
散気用通気孔４３は、本体部４４を厚み方向に貫通するように形成されている。散気用通気孔４３は、本体部４４の径方向及び周方向に互いに間隔を空けて形成されており、その一部は中空糸膜束１５よりも径方向外側に位置している。これにより、中空糸膜束１５に対して径方向に広い範囲で気体を分散させることができる。また本体部４４には、導水管５が貫通する貫通孔４４Ａが中央に形成されている。なお、本体部４４は、図３に示すような円板状のものに限定されず、種々の形状のものであってもよい。
【００４２】
気体受け部４５は、散気用気体入口７からハウジング１３内に供給された気体を一時的に収容するための部分である。気体受け部４５は、筒形状を有し、上端（一方端）が本体部４４の下面に接続されると共に、下端（他方端）側に気体の受け口４５Ａが形成されている。本実施形態では、気体受け部４５は、上端から下端に向かって内径が略一定となるように構成されている。気体受け部４５は、導水管５の外径よりも内径が大きく、導水管５の外周面との間の隙間において気体を収容する。
【００４３】
気体受け部４５は、散気用気体入口７よりも径方向外側に位置し、これにより散気用気体入口７からハウジング１３内に供給された気体を筒内に収容することができる。また図２に示すように、気体受け部４５の下端とハウジング１３の下壁との間には隙間が形成されており、ハウジング１３内の液体が当該隙間を流通することができる。これにより、ハウジング１３の下部における液溜まりを防ぐことができる。
【００４４】
気体受け部４５の上端側の部位には、複数の分散孔４６が周方向に間隔を空けて形成されている。分散孔４６は、気体受け部４５を貫通するように形成されている。分散孔４６により、気体受け部４５に収容された気体を当該気体受け部４５よりも径方向外側へ逃がし、散気用通気孔４３へ導くことができる。分散孔４６は、周方向に等間隔で形成されていてもよいし、異なる間隔で形成されていてもよい。
【００４５】
周壁部４７は、本体部４４の周縁部から下方に延びる筒形状を有する。周壁部４７により、分散孔４６から気体受け部４５の外側に放出された気体が、本体部４４よりも外側に広がることを抑制できる。これにより、散気用通気孔４３から気体が分散される前において、本体部４４の下面に気体を留めることができる。
【００４６】
散気部材４によれば、バブリング工程において、散気用気体入口７からハウジング１３内に供給された気体を気体受け部４５により一時的に収容した後、分散孔４６から外側へ逃がし、その後散気用通気孔４３から下部空間Ｓ１２に分散させることができる。つまり、本実施形態では、散気用通気孔４３が、下部空間Ｓ１２よりも下側の位置でハウジング１３内に気体を分散させる下側気体供給部として機能する。
【００４７】
導水管５は、中空糸膜束１５の中心を上下方向に延びるように配置されている。導水管５は、円筒形状からなるが、特に限定されない。導水管５は、図２に示すように、散気部材４（本体部４４）を貫通し、下端が任意のシール部材（図示しない）を介して原液導入配管２１（図１）に固定されている。また導水管５の固定方法はこれに限られず、本体部４４の上面よりも上方に突出する別配管が設けられ、当該突出部分が導水管５の内側に位置するように導水管５が本体部４４の上面に載せられてもよい。
【００４８】
導水管５において本体部４４の上面よりも上側に突出した部位には、長手方向全体に亘って複数の管用通気孔５４が間隔を空けて形成されている。より具体的には、導水管５において上部空間Ｓ１１に位置する部位に複数の管用通気孔５４が互いに間隔を空けて形成され、下部空間Ｓ１２に位置する部位にも複数の管用通気孔５４が互いに間隔を空けて形成されている。これらの管用通気孔５４によって、バブリング用の気体をハウジング１３内に供給することができ、また中空糸膜１４により濾過される原水をハウジング１３内に供給することができる。なお、管用通気孔５４は、長手方向に等間隔で形成されていてもよいし、異なる間隔で形成されていてもよい。また管用通気孔５４は、円形状からなるが、特に限定されない。
【００４９】
複数の管用通気孔５４は、導水管５の長手方向においてそれぞれ同じ大きさで形成されている。管用通気孔５４の内径は、バブリングの効果を高めるために３０ｍｍ以下に設計されることが好ましい。また管用通気孔５４の内径は、通水時の圧力損失を小さくするため、各孔からの原水の吐出流速の合計が４ｍ／ｓ以下となるように設計されることが好ましく、３ｍ／ｓ以下となるように設計されることがより好ましい。
【００５０】
図２に示すように、導水管５の最上部に形成された管用通気孔５４Ａは気体抜き口１１の下面１１Ａよりも上側に位置しており、上から２番目の管用通気孔５４Ｂは当該下面１１Ａよりも下側に位置している。つまり、導水管５には、気体抜き口１１の下面１１Ａを上下方向に挟む位置に管用通気孔５４Ａ，５４Ｂが形成されている。
【００５１】
図５に示すように、管用通気孔５４は、導水管５の周方向において等間隔に４つ形成されている。本実施形態では、上部空間Ｓ１１に位置する部位及び下部空間Ｓ１２に位置する部位のいずれにおいても管用通気孔５４が９０°間隔で４つ形成されているが、その数や周方向の間隔は特に限定されない。また後述する他の実施形態のように、上部空間Ｓ１１に位置する部位と下部空間Ｓ１２に位置する部位とで管用通気孔５４の数や周方向の間隔が互いに異なっていてもよい。
【００５２】
図６は、図２中の領域ＶＩにおける導水管５の拡大図である。導水管５における管用通気孔５４の開孔率は、以下のように定義できる。図６の斜線部に示すように、最上部の管用通気孔５４Ａの中間高さ位置からその下の管用通気孔５４Ｂの中間高さ位置までの範囲における導水管５の外周面の面積をＳ１とし、当該範囲の外周面に形成された全ての管用通気孔５４Ａ，５４Ｂの合計の開孔面積をＳ２としたときに、管用通気孔の開孔率は、Ｓ２／Ｓ１×１００、として定義できる。本実施形態では、当該開孔率が１％以上２０％以下に設計されることが好ましい。
【００５３】
導水管５によれば、管用通気孔５４からハウジング１３内に原水を供給できると共に、導水管用気体入口８から導入された気体を浮力により上昇させ、上部空間Ｓ１１に位置する管用通気孔５４Ａ，５４Ｂからハウジング１３内に分散させることができる。つまり、本実施形態では、管用通気孔５４Ａ，５４Ｂが、当該上部空間Ｓ１１の位置でハウジング１３内に気体を分散させる上側気体供給部として機能する。
【００５４】
ハウジング１３内に挿入された導水管５の長さは、中空糸膜モジュール１０を嵩張らせないようにするため、中空糸膜１４の長さの１〜２倍であることが好ましく、１〜１．５倍であることがより好ましい。
【００５５】
導水管５の内径は、通水時の圧力損失を小さくするため、通水時の流束が４ｍ／ｓ以下となるように設計されることが好ましく、３ｍ／ｓ以下となるように設計されることがより好ましい。
【００５６】
［中空糸膜モジュールの洗浄方法］
次に、上記濾過装置１による濾過運転、及び当該運転中に実施される本実施形態に係る中空糸膜モジュールの洗浄方法について、図７を参照して説明する。図７には、図１に示す濾過装置１の基本的な運転方法について、各工程とバルブの開閉状態との関係が示されている。図７中の丸印は、該当するバルブが開いていることを意味する。
【００５７】
はじめに、充水工程（濾過前）が実施される。この工程では、濾過装置１の全バルブが閉じた状態から制御装置４０によって原液導入バルブ２２及び気体排出口バルブ６２が開かれ、送液ポンプ２０が作動する。これにより、送液ポンプ２０から原液導入配管２１を介して導水管５内に原液が導入され、管用通気孔５４からハウジング１３内に原水が供給される。これにより、ハウジング１３の内部空間Ｓ１が充水される。
【００５８】
次に、濾過工程が実施される。この工程では、気体抜き口１１から原液が溢れた後、制御装置４０によって濾液出口バルブ７１が開かれ、かつ気体排出口バルブ６２が閉じられる。そして、内部空間Ｓ１に満たされた原水が中空糸膜１４の外表面側から壁面を通過して内表面側へ浸透し、濾液側の空間Ｓ２から濾液として取り出される。
【００５９】
濾過時間の経過に伴って中空糸膜１４の外表面には原水中の浮遊汚濁物質が付着し、これにより濾過能力が低下する。そのため、一定時間濾過が実施された後、以下に説明する本実施形態に係る中空糸膜モジュールの洗浄方法を実施することにより、中空糸膜１４の膜表面が洗浄される。
【００６０】
まず、逆洗工程が実施される。この工程では、制御装置４０によって原液排出口バルブ４２及び第１気体導入バルブ３４が開かれ、エアーコンプレッサー３０を作動させる。これにより、濾液側気体入口５３からハウジング１３の濾液側の空間Ｓ２に気体（例えば空気）が導入され、当該気体によって濾液が加圧される。濾液は、中空糸膜１４の内表面側から外表面側に押し出され、その結果内部空間Ｓ１の液体の一部がドレン抜き口１２から系外に排出される。このようにして、中空糸膜１４の逆洗が行われる。その後、濾液側圧抜きバルブ８１を開くことにより、濾液側の空間Ｓ２の圧力を低下させる。
【００６１】
次に、充水工程（下側バブリング前）が実施される。この工程では、上記逆洗工程において低下した内部空間Ｓ１内の液面を上昇させるため、制御装置４０によって気体排出口バルブ６２及び原液導入バルブ２２が開かれ、送液ポンプ２０を作動させる。これにより、内部空間Ｓ１内に液体が導入され、液面が上昇する。その後、送液ポンプ２０を停止させ、原液導入バルブ２２が閉じられ、液体の供給が停止される。
【００６２】
次に、下側バブリング工程が実施される。この工程では、内部空間Ｓ１が充水された状態において、制御装置４０によって第２気体導入バルブ３５が開かれ、エアーコンプレッサー３０が作動する。これにより、第２気体導入配管３２を介して散気用気体入口７からハウジング１３内に気体が供給される。そして、当該気体は、気体受け部４５に収容された後、散気用通気孔４３から下部空間Ｓ１２へ分散される。そして、中空糸膜１４の下端１４Ａから上部空間Ｓ１１まで上昇する気体によって中空糸膜１４が揺らされ、その作用で膜表面に付着した浮遊汚濁物質が剥がれ落とされる。このように、下側バブリング工程では、下部空間Ｓ１２よりも下側の位置でハウジング１３内に気体を分散させ、当該気体を上部空間Ｓ１１まで上昇させることにより、下部空間Ｓ１２及び上部空間Ｓ１１の下側部分に位置する中空糸膜１４が洗浄される。
【００６３】
次に、排水工程が実施される。この工程では、制御装置４０によって第２気体導入バルブ３５が閉じられると共に原液排出口バルブ４２が開かれる。これにより、下側バブリング工程で膜表面から剥がれた浮遊汚濁物質を含む液体がドレン抜き口１２を介して系外に排出される。
【００６４】
次に、充水工程（上側バブリング前）が実施される。この工程では、気体排出口バルブ６２及び原液導入バルブ２２が開かれ、送液ポンプ２０を作動させることにより、再び内部空間Ｓ１に液体が満たされる。
【００６５】
次に、上側バブリング工程が実施される。この工程は、下側バブリング工程において洗浄が不十分であった中空糸膜１４の上端１４Ｂにおいて、膜表面に付着した浮遊汚濁物質をより確実に除去する目的で実施される。
【００６６】
まず、制御装置４０によって原液導入バルブ２２が閉じられると共に第３気体導入バルブ３６が開かれる。これにより、第３気体導入配管３３を介して導水管用気体入口８から導水管５内に気体が導入される。そして、当該気体は、管内において浮力により上昇し、上部空間Ｓ１１に位置する管用通気孔５４Ａ，５４Ｂからハウジング１３内に分散される。これにより、中空糸膜１４の上端１４Ｂ近傍を中心にバブリング洗浄することができ、下側バブリング工程では十分に除去できなった上端１４Ｂ周辺の膜表面に付着した浮遊汚濁物質をより確実に除去することができる。このように、上側バブリング工程では、上部空間Ｓ１１の位置でハウジング１３内に気体を分散させることにより、中空糸膜１４が洗浄される。
【００６７】
また上側バブリング工程において、バブリング開始直後においては内部空間Ｓ１全体が充水されているため、最上部の管用通気孔５４Ａ及びその下の管用通気孔５４Ｂから吐出される気体によってバブリング洗浄することができる。そして、バブリング開始から一定時間経過すると、気体抜き口１１から気体を含んだ液体が排出され、内部空間Ｓ１の液面が下面１１Ａまで低下する。この状態においても、導水管５に供給される気体の浮力によって導水管５内の水を抜き口１１の下面１１Ａよりも上側の管用通気孔５４Ａから気体と共に噴出させ、ハウジング１３内の水を抜き口１１の下面１１Ａよりも下側の管用通気孔５４Ｂから導水管５内に流入させることができる。これにより、液体と気体の混合流体を抜き口１１の下面１１Ａよりも上側の管用通気孔５４Ａから継続的に噴出させてバブリングすることができるため、中空糸膜１４の上端１４Ｂまで効果的に洗浄することができる。
【００６８】
次に、排水工程が実施される。この工程では、第３気体導入バルブ３６が閉じられると共に原液排出口バルブ４２が開かれる。これにより、上側バブリング工程で膜表面から剥がれた浮遊汚濁物質を含む液体がドレン抜き口１２から系外に排出される。以上のようにして中空糸膜モジュール１０の洗浄が行われた後、濾過運転が再開される。
【００６９】
上側及び下側バブリング工程のいずれにおいても、気体の供給量は２００００ＮＬ／ｈ以下であることが好ましく、５００〜１００００ＮＬ／ｈの範囲内であることが好ましい。また下側バブリング工程では、気体の供給量が過剰になると中空糸膜１４同士が絡まり合って膜表面が傷付いてしまうのに対し、上側バブリング工程ではこのような問題が生じ難い。そのため、上側バブリング工程では、下側バブリング工程よりも気体の供給量を高く設定することができる。
【００７０】
［作用効果］
次に、上記本実施形態に係る中空糸膜モジュール１０及びその洗浄方法の特徴及び作用効果について説明する。
【００７１】
中空糸膜モジュール１０は、中空糸膜束１５と、中空糸膜束１５が収容される内部空間Ｓ１が形成されたハウジング１３と、内部空間Ｓ１に中空糸膜洗浄用の気体を分散させる気体供給部２と、を備える。気体供給部２には、上部空間Ｓ１１の位置でハウジング１３内に気体を分散させる上側気体供給部としての管用通気孔５４Ａ，５４Ｂと、下部空間Ｓ１２よりも下側の位置でハウジング１３内に気体を分散させる下側気体供給部としての散気用通気孔４３と、が設けられている。
【００７２】
上記中空糸膜モジュール１０によれば、内部空間Ｓ１が充水された状態で散気用通気孔４３から気体を分散させ、当該気体が中空糸膜１４の下端１４Ａから上昇して中空糸膜１４が振動することにより、膜表面に付着した浮遊汚濁物質を剥がれ落とすことができる。また散気用通気孔４３からだけではなく、管用通気孔５４Ａ，５４Ｂからハウジング１３内に気体を分散させることができる。そのため、散気用通気孔４３から気体を分散させた場合に行き渡り難い中空糸膜１４の上端１４Ｂにまで気体を行き渡らせることができる。これにより、当該上端１４Ｂにおいても膜表面に付着した浮遊汚濁物質の除去効果を高めることができる。従って、上記中空糸膜モジュール１０によれば、バブリング工程において中空糸膜１４全体を洗浄することができる。
【００７３】
上記気体供給部２は、中空糸膜束１５の径方向に広がった形状を有し、複数の散気用通気孔４３が形成された散気部材４と、中空糸膜束１５の内側を上下方向に延びるように配置され、上部空間Ｓ１１に位置する部位に複数の管用通気孔５４Ａ，５４Ｂが形成された導水管５と、を含む。
【００７４】
これにより、中空糸膜１４の下端１４Ａ側において、中空糸膜束１５の径方向に広がるように気体を分散させてバブリング洗浄することができる。また中空糸膜１４の上端１４Ｂ側においては、管用通気孔５４Ａ，５４Ｂによって中空糸膜束１５の内側から外側に向けて気体を分散させてバブリング洗浄することができる。
【００７５】
上記管用通気孔５４は、上部空間Ｓ１１及び下部空間Ｓ１２に位置する部位に形成されている。また上記中空糸膜モジュール１０は、中空糸膜１４により濾過される原水が、上部空間Ｓ１１及び下部空間Ｓ１２に位置する管用通気孔５４を通ってハウジング１３内に供給されるように構成されている。
【００７６】
これにより、導水管５に供給される気体の浮力によって導水管５内の水を上部空間Ｓ１１に位置する管用通気孔５４から気体と共に噴出させ、続いてハウジング１３内の水を下部空間Ｓ１２に位置する管用通気孔５４から導水管５内に流入させることができる。これにより、液体と気体の混合流体を上部空間Ｓ１１に位置する管用通気孔５４から継続的に噴出させてバブリングすることができる。
【００７７】
上記中空糸膜モジュール１０では、導水管５と散気部材４とに対して各々異なる気体供給手段が設けられている。これにより、上側及び下側バブリング工程を実施する際に、導水管５及び散気部材４の各々に対する気体の供給量などの条件を容易に調整することができる。
【００７８】
上記ハウジング１３には、内部空間Ｓ１内の気体及び液体を系外へ排出するための抜き口１１が設けられている。管用通気孔５４Ａは当該抜き口１１の下面１１Ａの上側に形成され、かつ管用通気孔５４Ｂは当該抜き口１１の下面１１Ａの下側に形成されている。
【００７９】
これにより、上側バブリング工程の開始直後で内部空間Ｓ１全体が充水された状態において、管用通気孔５４Ａ，５４Ｂから分散される気体によってバブリング洗浄することができる。そして、バブリング開始から一定時間経過して抜き口１１から気体を含む液体が排出され、内部空間Ｓ１の液面位置が抜き口１１の下面１１Ａの高さ位置まで下がった状態でも、導水管５に供給される気体の浮力によって導水管５内の水を抜き口１１の下面１１Ａよりも上側の管用通気孔５４Ａから気体と共に噴出させ、ハウジング１３内の水を抜き口１１の下面１１Ａよりも下側の管用通気孔５４Ｂから導水管５内に流入させることができる。これにより、液体と気体の混合流体を気体抜き口１１の下面１１Ａよりも上側の管用通気孔５４Ａから継続的に噴出させてバブリングすることができるため、中空糸膜１４の上端１４Ｂまで効果的に洗浄することができる。
【００８０】
上記中空糸膜束１５は、中空糸膜１４の上端１４Ｂが固定されると共に、下端１４Ａにおいて中空糸膜１４が一本ずつ固定されない片端フリータイプである。これにより、バブリング工程において中空糸膜１４を容易に振動させることが可能となり、膜表面の洗浄効果をより向上させることができる。
【００８１】
上記中空糸膜モジュールの洗浄方法は、充水された内部空間Ｓ１に気体を分散させて中空糸膜１４を洗浄する方法であって、下側バブリング工程と、当該下側バブリング工程の後に実施される上側バブリング工程と、を備える。下側バブリング工程では、下部空間Ｓ１２よりも下側の位置でハウジング１３内に気体を分散させることにより中空糸膜１４が洗浄される。上側バブリング工程では、上部空間Ｓ１１の位置でハウジング１３内に気体を分散させることにより中空糸膜１４が洗浄される。
【００８２】
上記中空糸膜モジュールの洗浄方法では、まず下側バブリング工程において、下部空間Ｓ１２よりも下側の位置でハウジング１３内に気体を分散させ、当該気体が中空糸膜１４の下端１４Ａから上昇して中空糸膜１４を振動させることにより、膜表面に付着した浮遊汚濁物質を剥がれ落とすことができる。その後、上側バブリング工程において、上部空間Ｓ１１の位置でハウジング１３内に気体を分散させることにより、下側バブリング工程では洗浄が不十分な中空糸膜１４の上端１４Ｂにおいても確実に膜表面を洗浄することができる。
【００８３】
また上側バブリング工程の後に下側バブリング工程を行った場合には、上側バブリング工程において中空糸膜１４の上端１４Ｂが洗浄された後、下側バブリング工程において膜表面から除去された浮遊汚濁物質が上昇し、当該上端１４Ｂに再付着してしまう。これに対して、下側バブリング工程後に上側バブリング工程を行うことにより、中空糸膜１４の上端１４Ｂへの浮遊汚濁物質の再付着を防ぎ、中空糸膜１４全体を洗浄することができる。
【００８４】
（実施形態２）
次に、本発明の実施形態２に係る中空糸膜モジュール１０Ａの構造について、図８を参照して説明する。実施形態２に係る中空糸膜モジュール１０Ａは、基本的に上記実施形態１の場合と同様の構成を備え、かつ同様の効果を奏するが、導水管５に形成される管用通気孔５４の数及び位置が上記実施形態１と異なっている。
【００８５】
図８に示すように、導水管５において上部空間Ｓ１１に位置する部位にのみ複数の管用通気孔５４が間隔を空けて形成されており、下部空間Ｓ１２に位置する部位には管用通気孔が形成されていない。つまり、導水管５の下部空間Ｓ１２に位置する部位は、切れ目のない閉じた外周面を有する。この実施形態によれば、上記実施形態１のように上部空間Ｓ１１及び下部空間Ｓ１２の両方に位置する部位に管用通気孔５４が形成される場合に比べて、導水管５の加工に要する手間をより少なくすることができる。
【００８６】
（実施形態３）
次に、本発明の実施形態３に係る中空糸膜モジュール１０Ｂの構造について、図９及び図１０を参照して説明する。実施形態３に係る中空糸膜モジュール１０Ｂは、基本的に上記実施形態１の場合と同様の構成を備え、かつ同様の効果を奏するが、散気部材の形状が上記実施形態１と異なっている。
【００８７】
図９及び図１０に示すように、散気部材４Ｂは、散気用通気孔４３が形成された円板状の本体部４４と、本体部４４の下面に接続される気体受け部４５Ｂと、本体部４４の周縁部に接続された周壁部４７と、が一体に構成されている。この実施形態では、気体受け部４５Ｂは、本体部４４の下面に接続される上端から気体受け口４５Ａが形成された下端に向かって内径が徐々に広がるフレア状に形成されている。図１０の断面視において、気体受け部４５Ｂの筒壁は、本体部４４の下面に対して鋭角を成しており、その角度は特に限定されない。
【００８８】
この実施形態では、散気用気体入口７からハウジング１３内に供給された気体が気体受け部４５Ｂよりも外側へ逃げ難く、気体受け部４５Ｂ内に取り込み易くなる。そのため、上記実施形態１のように気体受け部４５を内径が一定の円筒形状に構成した場合に比べて、下側バブリング工程をより効率的に行うことができる。なお、この実施形態でも、導水管５の下部空間Ｓ１２に位置する部位において管用通気孔５４が省略されてもよい。
【００８９】
（実施形態４）
次に、本発明の実施形態４に係る中空糸膜モジュール１０Ｃの構造について、図１１及び図１２を参照して説明する。実施形態４に係る中空糸膜モジュール１０Ｃは、基本的に上記実施形態１の場合と同様の構成を備え、かつ同様の効果を奏するが、導水管５と散気部材４とに対して共通の気体供給手段が設けられている点で上記実施形態１と異なっている。
【００９０】
図１２に示すように、ハウジング１３の下面１３Ｃは散気用気体入口７（図２）が形成されずに閉じている。導水管５の内側領域には、仕切部５５が設けられている。仕切部５５は、複数の貫通孔が形成された板体であり、導水管５において気体受け部４５により取り囲まれた部位に配置されている。また導水管５において仕切部５５よりも下側でかつ気体受け部４５により取り囲まれた部位には、管壁を貫通する通気孔５Ａが形成されている。また図１１に示すように、濾過装置１Ｃにおいては、中空糸膜モジュール１０Ｃの原液側空間への気体供給手段として第３気体導入配管３３及び第３気体導入バルブ３６のみが設けられており、第２気体導入配管３２及び第２気体導入バルブ３５（図１）は省略されている。
【００９１】
この実施形態では、導水管用気体入口８から導水管５内に導入された気体は、浮力によって上昇して仕切部５５の貫通孔を通過し、上部空間Ｓ１１に位置する管用通気孔５４Ａ，５４Ｂからハウジング１３内に放出される。また一部の気体は、上昇途中において仕切部５５により堰き止められ、通気孔５Ａから管外へ放出される。そして、放出された気体は、気体受け部４５内に収容された後、散気用通気孔４３を通って下部空間Ｓ１２に分散される。このように、実施形態４では、導水管５及び散気部材４に対する共通の気体供給手段として第３気体導入配管３３及び第３気体導入バルブ３６を用いることにより、上記実施形態１のように別々の気体供給手段を設ける場合に比べて設備を簡略化することができ、装置コストを低減することができる。なお、この実施形態でも、導水管５の下部空間Ｓ１２に位置する部位において管用通気孔５４が省略されてもよい。
【００９２】
（実施形態５）
次に、本発明の実施形態５に係る中空糸膜モジュール１０Ｄの構造について、図１３を参照して説明する。実施形態５に係る中空糸膜モジュール１０Ｄは、基本的に上記実施形態１の場合と同様の構成を備え、かつ同様の効果を奏するが、散気部材４が省略されている点で上記実施形態１と異なっている。
【００９３】
図１３に示すように、導水管５においてハウジング１３内に挿入された部位には、複数の管用通気孔５４が長手方向に間隔を空けて形成されている。導水管５の内側領域には、板状の仕切部５５が設けられている。この仕切部５５によって、導水管５の管内空間は、下部空間Ｓ１２よりも下側に位置する下側管内空間Ｐ２と、当該下側管内空間Ｓ１２よりも上側に位置する上側管内空間Ｐ１と、に仕切られている。仕切部５５は、導水管５の内側領域を塞いでいるため、上側管内空間Ｐ１と下側管内空間Ｐ２とは互いに連通しない別の空間として隔離されている。
【００９４】
導水管用気体入口８には、下側管内空間Ｐ２に気体を供給するための気体供給手段として、図１に示す第３気体導入配管３３及び第３気体導入バルブ３６が設けられている。また上側管内空間Ｐ１に面する部位には、上側管内空間Ｐ１に気体を供給するための気体供給手段として、図１に示す第２気体導入配管３２及び第２気体導入バルブ３５が設けられている。このように、実施形態５では、上側管内空間Ｐ１及び下側管内空間Ｐ２の各々に対して気体を供給するための気体供給手段が設けられている。
【００９５】
導水管用気体入口８から導水管５内に導入された気体は、下側管内空間Ｐ２に面する部位に形成された管用通気孔５４Ｃからハウジング１３内に分散される。つまり、当該管用通気孔５４Ｃは、下部空間Ｓ１２よりも下側の位置でハウジング１３内に気体を分散させる下側気体供給部として機能する。一方、第２気体導入配管３２から上側管内空間Ｐ１に導入された気体は、浮力により上昇し、管用通気孔５４Ａ，５４Ｂからハウジング１３内に分散される。管用通気孔５４Ａ，５４Ｂは、上側管内空間Ｐ１に面し、かつ上部空間Ｓ１１に位置する部位に形成されており、上部空間Ｓ１１の位置でハウジング１３内に気体を分散させる上側気体供給部として機能する。
【００９６】
この実施形態では、導水管５の管内空間を仕切部５５によって上側管内空間Ｐ１と下側管内空間Ｐ２とに分離し、各管内空間Ｐ１，Ｐ２に対して気体供給できるようにすることで、散気部材４を用いることなく導水管５のみによって中空糸膜１４全体をバブリング洗浄することができる。そのため、導水管５及び散気部材４の両方を備える場合に比べて設備をより簡略化することができ、コスト削減を図ることができる。
【００９７】
また仕切部５５は、導水管５の内側領域を完全に塞ぐものに限定されず、図１４に示すように複数の貫通孔５５Ｂが形成されたものであってもよい。この場合、導水管用気体入口８から導水管５に導入された気体は、その一部が仕切部５５の板体部５５Ａにより堰き止められて管用通気孔５４Ｃからハウジング１３内に分散され、残りが貫通孔５５Ｂを通って上側管内空間Ｐ１に流入し、管用通気孔５４Ａ，５４Ｂからハウジング１３内に分散される。そのため、上側管内空間Ｐ１及び下側管内空間Ｐ２の各々に対して別々の気体供給手段を設ける必要がなく、第２気体導入配管３２及び第２気体導入バルブ３５（図１）を省略することができる。またこの場合、仕切部５５より上側において下部空間Ｓ１２に位置する管用通気孔５４を省略することもできる。
【００９８】
（実施形態６）
次に、本発明の実施形態６について、図１５を参照して説明する。実施形態６に係る中空糸膜モジュールは、基本的に上記実施形態１の場合と同様の構成を備え、かつ同様の効果を奏するが、導水管５において上部空間Ｓ１１に位置する部位と下部空間Ｓ１２に位置する部位とで管用通気孔５４の数及び周方向の間隔が異なっている。
【００９９】
図１５は、最上部に形成された管用通気孔５４Ａ又はその下の管用通気孔５４Ｂを含む導水管５の断面構造を示している。図１５に示すように、管用通気孔５４Ａ，５４Ｂは周方向において等間隔で（４５°間隔で）８つ形成されている。一方で、その他の管用通気孔５４は、上記実施形態１と同様に周方向において等間隔で（９０°間隔で）４つ形成されている。このように、実施形態６では、管用通気孔５４は、周方向において上部空間Ｓ１１に位置する部位に下部空間Ｓ１２に位置する部位よりも多数形成されている。これにより、中空糸膜１４の上端１４Ｂ側において周方向の全体に亘ってバブリング洗浄の効果を向上させることができる。
【０１００】
（その他実施形態）
導水管５において長手方向に隣り合う管用通気孔５４Ａ，５４Ｂは、当該長手方向から見たときの周方向の位置が互いに異なるように形成されてもよい。具体的には、図１６に示すように、隣り合う管用通気孔５４Ａ，５４Ｂは、長手方向から見たときの周方向の位置が互いに４５°ずれていてもよい。これにより、ハウジング１３の内部空間Ｓ１に対して原水及び気体を周方向により均一に供給することができる。
【０１０１】
上記実施形態では片端フリータイプの中空糸膜束１５が用いられる場合についてのみ説明したが、両端固定タイプのものが用いられてもよい。
【０１０２】
（実施形態７）
次に、本発明の実施形態７に係る中空糸膜モジュールの洗浄方法について説明する。実施形態７に係る中空糸膜モジュールの洗浄方法では、上記実施形態１で説明した通り、充水工程、濾過工程、逆洗工程、下側バブリング工程及び上側バブリング工程が順次実施されるが、下側バブリング工程において向流バブリングを実施する点で上記実施形態１と異なっている。
【０１０３】
実施形態７では、図１７に示すように、下側バブリング工程において制御装置４０により原液排出口バルブ４２が開かれる。上記実施形態１では下側バブリング工程において原液排出口バルブ４２が閉じられていたが（図７）、当該原液排出口バルブ４２を開くことにより、内部空間Ｓ１内の原水がドレン抜き口１２に向かって流れる。これにより、図１８に示すように、内部空間Ｓ１において中空糸膜１４の長手方向に沿って原水が上側から下側に流れる下向き水流９２が発生する。
【０１０４】
なお、気体排出口バルブ６２は開状態であるが、下向きの水流９２を形成するため、ドレン抜き口１２からの排水量が気体抜き口１１からの排水量よりも多くなるようにバルブ開度を調整する必要がある。具体的には、原液排出口バルブ４２の開度を気体排出口バルブ６２の開度よりも大きくする必要がある。
【０１０５】
このようにしてハウジング１３内に下向きの水流９２を発生させる一方、制御装置４０によって第２気体導入バルブ３５を開くと共にエアーコンプレッサー３０を作動させる。これにより、第２気体導入配管３２を介して散気用気体入口７からハウジング１３内に空気が供給される。そして、当該空気は、気体受け部４５に収容された後、散気用通気孔４３から下部空間Ｓ１２へ分散される。これにより、図１８に示すように、内部空間Ｓ１において中空糸膜１４の長手方向に沿って水流９２に対して反対向き（上向き）の気泡流９１が発生する。
【０１０６】
この時、水流９２と気泡流９１とが衝突することによって強いせん断力が発生する（向流バブリング）。このせん断力は、ハウジング１３内の気液界面において最も大きくなる。本実施形態に係る中空糸膜モジュールの洗浄方法では、この強いせん断力によって中空糸膜１４の外表面を効果的に洗浄することができ、これによって上記濾過工程において中空糸膜１４の外表面に付着した懸濁物質を効率的に除去することができる。
【０１０７】
このように、本実施形態に係る中空糸膜モジュールは、内部空間Ｓ１において中空糸膜１４の長手方向に沿って原水の水流９２を発生させると共に、内部空間Ｓ１において中空糸膜１４の長手方向に沿って水流９２に対して反対向きの気泡流９１を発生させる向流バブリング手段を有する。向流バブリング手段は、水流９２を発生させる水流発生手段と、気泡流９１を発生させる気泡流発生手段と、を含む。水流発生手段は、中空糸膜１４の長手方向の中央よりも下側において内部空間Ｓ１から原水を排出するドレン抜き口１２（排出部）を有する。気泡流発生手段は、中空糸膜１４の長手方向の中央よりも下側の位置において内部空間Ｓ１に空気を分散させる散気部材４を有する。
【０１０８】
次に、図１９〜図２１に示すように、ハウジング１３の内部空間Ｓ１における原水の液面９３を中空糸膜１４の長手方向に沿って下向きに移動させ、これによって中空糸膜１４の外表面をさらに効果的に洗浄することができる。具体的には、制御装置４０によって気体排出口バルブ６２を閉じた状態で第２気体導入配管３２からハウジング１３内に空気を供給し続ける。そうすると、内部空間Ｓ１の上部に満たされる空気量が次第に増加し、これに伴ってドレン抜き口１２からの排水量が増加する。この過程において、図１９〜図２１に順に示すように、内部空間Ｓ１における液面９３が下側に向かって徐々に移動する。液面９３は最もせん断力が大きくなる部分であり、洗浄効果に優れる。このため、液面９３を中空糸膜１４の長手方向に沿って徐々に下げることにより、中空糸膜１４を長手方向の広い範囲に亘って効率的に洗浄することができる。
【０１０９】
また上述のように液面９３を一旦下げた後、再び液面９３を上げてもよい。具体的には、送液ポンプ２０の動力や原液導入バルブ２２及び原液排出口バルブ４２の開度を調整してハウジング１３への給水量を排水量よりも多くすることにより、液面９３を上向きに移動させてもよい。またこのような液面９３の上下移動を複数回繰り返し行ってもよい。これにより、中空糸膜１４の洗浄効果を一層高めることができる。
【０１１０】
またこの工程において、第２気体導入配管３２からハウジング１３内に供給する空気の流量（バブリング流量）は、強いせん断力を発生させるという観点で３Ｎｍ３／ｈ以上２０Ｎｍ３／ｈ以下に設定されることが好ましく、エアーコンプレッサー３０の容量などの観点で５Ｎｍ３／ｈに設定されることが好ましい。
【０１１１】
次に、排水工程が実施されてもよい。なお、上述のような液面９３の上昇が行われない場合には、向流バブリングと同時に、中空糸膜１４の外表面から剥がれた懸濁物質を含む液体がドレン抜き口１２を介して系外に排出される。このように懸濁物質を含む液体が向流バブリング時に既に排出されている場合には、排水工程は不要である。
【０１１２】
排水工程を実施する場合には、制御装置４０によって第２気体導入バルブ３５が閉じられると共に原液排出口バルブ４２が開かれる。これにより、上記向流バブリング工程において中空糸膜１４の外表面から剥がれた懸濁物質を含む液体が、ドレン抜き口１２を介して系外に排出される。
【０１１３】
また図２２に示すように、向流バブリング工程において気体排出口バルブ６２が閉じられてもよい。これにより、向流バブリング中においてハウジング１３内の水が気体抜き口１１から排出されなくなるため、ドレン抜き口１２からの排水量が増加し、ハウジング１３内において下向きの水流９２がより形成され易くなる。
【０１１４】
（実施形態８）
次に、本発明の実施形態８に係る中空糸膜モジュールの洗浄方法について説明する。実施形態８に係る中空糸膜モジュールの洗浄方法では、上記実施形態１で説明した通り、充水工程、濾過工程、逆洗工程、下側バブリング工程及び上側バブリング工程が順次実施されるが、上側バブリング工程において気液洗浄を実施する点で上記実施形態１と異なっている。
【０１１５】
図２３に示すように、実施形態８では、上記実施形態１のように制御装置４０によって気体排出口バルブ６２及び第３気体導入バルブ３６を開いて上側バブリングを行うと共に、さらに制御装置４０によって送液ポンプ２０を動作させ且つ原液導入バルブ２２を開く。これにより、原液導入配管２１を介して導水管５内に原水が供給されると共に第３気体導入配管３３を介して導水管５内に空気が供給され、導水管５内に原水と空気の混合体が生成する。そして、導水管５の複数の管用通気孔５４（上部空間Ｓ１１に位置する孔）からハウジング１３の上部空間Ｓ１１に向けて原水及び空気が同時に噴出される（気液洗浄）。
【０１１６】
これにより、噴出された気液混合体によって上部空間Ｓ１１において強いせん断力が発生し、当該せん断力によって中空糸膜１４の上端１４Ｂ側の部分を効果的に洗浄することができる。この時、上部空間Ｓ１１に対して原水と空気を均一に噴出することが、モジュール内の均一な洗浄という観点から好ましい。なお、洗浄中においては、気体抜き口１１からモジュールの系外に空気が排出されると共に、ドレン抜き口１２からモジュールの系外に原水が排水される。
【０１１７】
このように、本実施形態に係る中空糸膜モジュールは、導水管５内に原水及び気体を同時に供給するための気液供給手段を備えている。気液供給手段は、原液導入配管２１と、送液ポンプ２０と、原液導入バルブ２２と、エアーコンプレッサー３０と、第３気体導入配管３３と、第３気体導入バルブ３６と、制御装置４０と、により構成されている。制御装置４０により、送液ポンプ２０及びエアーコンプレッサー３０を同時に作動させると共に、原液導入バルブ２２及び第３気体導入バルブ３６を同時に開くことができる。これにより、送液ポンプ２０によって原液導入配管２１を介して導水管５内に原水を供給すると同時に、エアーコンプレッサー３０により第３気体導入配管３３を介して導水管５内に気体を供給することができる。そして、導水管５の管用通気孔５４から原水と空気を同時に噴出することができる。
【０１１８】
その後、排水工程が実施される。この工程では、上記実施形態１と同様に、気体排出口バルブ６２及び原液排出口バルブ４２が開かれる。そして、上記気液洗浄工程において中空糸膜１４の表面から剥がれた浮遊汚濁物質を含む水がドレン抜き口１２を介して系外に排出される。
【０１１９】
（実施形態９）
次に、本発明の実施形態９に係る中空糸膜モジュールの洗浄方法について説明する。実施形態９に係る中空糸膜モジュールの洗浄方法では、上記実施形態１で説明した通り、充水工程、濾過工程、逆洗工程、下側バブリング工程及び上側バブリング工程が順に実施された後、シャワー洗浄工程がさらに実施される。
【０１２０】
図２４に示すように、シャワー洗浄工程では、制御装置４０は、送液ポンプ２０を駆動するとともに、原液導入バルブ２２を開放し、また気体排出口バルブ６２を開放する制御を行う。このとき、原液排出口バルブ４２は開放された状態に維持される。これにより、ハウジング１３の内部空間Ｓ１内が空気で満たされている状態となっている。この状態において、送液ポンプ２０から原液導入配管２１を通して導水管５に原水が供給される。導水管５内を流れる原水は、導水管５の管用通気孔５４を通して中空糸膜束１５に向かって噴出される。即ち、送液ポンプ２０と、原液導入配管２１と、導水管５と、ドレン抜き口１２とは、水が抜かれた状態で、水供給源から供給された水を複数の管用通気孔５４から内部空間Ｓ１内に噴出させるシャワー洗浄手段を構成している。
【０１２１】
シャワー洗浄工程では、中空糸膜束１５に直接的に水流を当てることにより、中空糸膜束１５に強いせん断力を発生させることができる。これにより、中空糸膜束１５の洗浄効果を高めることができる。また、中空糸膜束１５に当たった水は重力によって膜表面を流れ落ちるため、流れ落ちる水のせん断力によっても中空糸膜束１５を効率よく洗浄することができる。中空糸膜束１５に沿って流れ落ちた水は、ハウジング１３下部のドレン抜き口１２から外部に排出される。
【０１２２】
（実施形態１０）
次に、本発明の実施形態１０に係る中空糸膜モジュールの洗浄方法について説明する。実施形態１０に係る中空糸膜モジュールの洗浄方法では、上記実施形態１で説明した通り、充水工程、濾過工程、逆洗工程、下側バブリング工程及び上側バブリング工程が順次実施されるが、下側バブリング工程及び上側バブリング工程において間欠バブリングを実施する点で上記実施形態１と異なっている。本実施形態では、下側バブリング工程及び上側バブリング工程の両方において間欠バブリングを実施する場合について説明する。
【０１２３】
はじめに、下側バブリング工程において実施される間欠バブリングについて説明する。まず、制御装置４０によって第２気体導入バルブ３５及び気体排出口バルブ６２を開き、エアーコンプレッサー３０を作動させる（下側間欠バブリング（ＯＮ））。これにより、第２気体導入配管３２を介して散気用気体入口７からハウジング１３の充水された内部空間Ｓ１に空気が供給される。そして、当該空気は、気体受け部４５に収容された後、散気用通気孔４３から下部空間Ｓ１２へ分散される。これにより、内部空間Ｓ１において中空糸膜１４の長手方向に沿って上向きの気泡流９１が発生する。このようにして、ハウジング１３内に空気（気体）が予め定められた時間供給される。
【０１２４】
この時、内部空間Ｓ１に供給された気体による浮力に起因して、中空糸膜束１５（エレメント）の膨みが生じる。そして、気体の供給時間が長くなるに従って中空糸膜束１５の膨らみが大きくなり、中空糸膜束１５とハウジング１３の内壁との間の隙間が小さくなる。その結果、内部空間Ｓ１に供給された気体が中空糸膜束１５の外周部を通過し難くなる。そのため、気体の供給時間が長くなるに従って、気体の供給量に対する中空糸膜束１５の外周部における洗浄効果が小さくなる。
【０１２５】
そこで、一定時間気体を供給した後、第２気体導入バルブ３５を閉じ、ハウジング１３の充水された内部空間Ｓ１への気体の供給を予め定められた時間停止する（下側間欠バブリング（ＯＦＦ））。これにより、ハウジング１３内に供給された気体の浮力に起因する中空糸膜束１５の膨らみが解消する。また気泡流９１により中空糸膜束１５内に形成されていた気体が流れ易い経路がリセットされる。
【０１２６】
その後、ハウジング１３の内部空間Ｓ１への気体の供給を再度開始することにより（下側間欠バブリング（ＯＮ））、中空糸膜束１５の外周部に対してより効果的に気体を供給することが可能になり、中空糸膜束１５の外周部の洗浄効果を高めることができる。
【０１２７】
また上述のように、内部空間Ｓ１への気体の供給を一旦停止することにより（下側間欠バブリング（ＯＦＦ））、気泡流９１により中空糸膜束１５内に形成されていた気体が流れ易い経路がリセットされる。これにより、モジュール断面で見た場合において、気体の通過量、即ち洗浄効果のムラが生じ難くなるため、中空糸膜束１５全体を均一に洗浄することが可能になる。しかも、ハウジング１３内に気体を間欠的に供給することにより、中空糸膜束１５の膨らみ及び萎みの動きが繰り返されるため、気泡流９１による膜の揺動とは異なる洗浄効果を与えることができ、洗浄効果をさらに高めることができる。これらの工程（下側間欠バブリング（ＯＮ）と下側間欠バブリング（ＯＦＦ））を複数回繰り返すことによって、より高い洗浄効果を見込むことができる。
【０１２８】
次に、上側バブリング工程では、図２５に示すように気体排出口バルブ６２を常時開いた状態で第３気体導入バルブ３６の開閉が繰り返される。第３気体導入バルブ３６が開いた状態では、第３気体導入配管３３を介して導水管５内に空気が供給され、当該空気が導水管５の上部にある管用通気孔５４からハウジング１３内に供給される（上側間欠バブリング（ＯＮ））。一方、第３気体導入バルブ３６が閉じた状態では、導水管５の管用通気孔５４からハウジング１３内への空気の供給が停止される（上側間欠バブリング（ＯＦＦ））。
【０１２９】
このように、本実施形態に係る中空糸膜モジュールの洗浄方法では、充水された内部空間Ｓ１に気体（空気）を予め定められた時間供給するバブリングオン（下側間欠バブリング（ＯＮ）、上側間欠バブリング（ＯＮ））と、充水された内部空間Ｓ１への気体の供給を予め定められた時間停止するバブリングオフ（下側間欠バブリング（ＯＦＦ）、上側間欠バブリング（ＯＦＦ））と、を繰り返す間欠バブリングが実施される。
【０１３０】
また図２５に示すように、下側バブリング工程の後に排水工程が実施され、その後上側バブリング工程が実施されるのが通常であるが、これに限定されない。図２６に示すように、排水工程を省略し、下側バブリング工程の後に続けて上側バブリング工程が実施されてもよい。
【０１３１】
また上述した間欠バブリングは、下側バブリング工程及び上側バブリング工程のいずれか一方のみにおいて実施されてもよい。図２７に示すように、下側バブリング工程においてのみ間欠バブリングが実施され、上側バブリング工程において間欠バブリングが実施されなくてもよい。また逆に、上側バブリング工程においてのみ間欠バブリングが実施され、下側バブリング工程において間欠バブリングが実施されなくてもよい。
【実施例】
【０１３２】
（実施例１）
まず、本実施例に使用した中空糸膜モジュール１０について、図２を参照して説明する。【０１３３】
中空糸膜束１５としては、膜面積が２８ｍ２である片端フリータイプのものを使用した。中空糸膜１４としては、ポリビニルアルコールにより親水化処理されたポリフッ化ビニリデン系樹脂からなり、平均孔径が０．０２ミクロンであり、有効長が８９０ｍｍのものを使用した。【０１３４】
膜面積は、中空糸膜１４の有効長（ｍ）と、中空糸膜１４の外径ｄｉ（ｍ）と、ハウジング１３に導入されている中空糸膜１４の本数（本）により、ｄｉ×π×有効長×本数、のように定義される。【０１３５】
有効長は、濾過処理において中空糸膜１４が有効に機能する長さであり、中空糸膜１４と固定部材３の界面から下端１４Ａまでの長さである。上端１４Ｂは、固定部材３により固定された開口部であるが、固定部材３で固定された空間は水の濾過処理において機能しないため、上記部分の長さを有効長として定義する。【０１３６】
平均孔径は、以下のようにして測定した。まず、異なる粒子径を有する少なくとも２種類の粒子（日揮触媒化成株式会社製、カタロイドＳＩ−５５０、カタロイドＳＩ−４５Ｐ、カタロイドＳＩ−８０Ｐ等）の阻止率を測定した。そして、この測定値に基づいて、下記の近似式において、Ｒが９０となる場合のＳの値を求め、これを平均孔径とした。【０１３７】
Ｒ＝１００／（１−ｍ×ｅｘｐ（−ａ×ｌｏｇ（Ｓ）））
上記式中の「ａ」及び「ｍ」は、中空糸膜１４により定まる定数であって、２種類以上の阻止率の測定値に基づいて算出した。【０１３８】
中空糸膜１４の親水性樹脂（ポリビニルアルコール）含有率は、以下のようにして測定した。まず、フッ化ビニリデン樹脂を溶媒で溶解及び抽出した。その後、残存した未溶解物量の乾燥重量を測定することにより親水性樹脂含有率を算出した。本実施例では、親水性樹脂含有率は、５．７％であった。【０１３９】
中空糸膜１４の純水透過速度の比率（（ＦＬＵＸｄ／ＦＬＵＸｗ）×１００）は、９９％であった。また中空糸膜１４の膜間差圧０．１ＭＰａにおける透水量は、１５００Ｌ／ｍ２／時であった。【０１４０】
導水管５としては、長さが９８５ｍｍ、内径が４０ｍｍの円筒状のものを使用した。導水管５は、中空糸膜束１５の中心に配置し、固定部材３により中空糸膜束１５と共に固定した。導水管５において、固定部材３から長手方向に７０ｍｍ離れた位置から１００ｍｍの間隔で複数（合計３６個）の管用通気孔５４を形成した。管用通気孔５４は、周方向に９０°の間隔で形成し、孔径は１０ｍｍとした。【０１４１】
散気部材４は、固定部材３から長手方向に９１５ｍｍ離れた位置に取り付けた。散気部材４は、複数の散気用通気孔４３が形成された円板状の本体部４４と、気体受け部４５と、周壁部４７と、からなる。導水管５への気体供給口として導水管用気体入口８を設け、散気部材４の気体受け部４５への気体供給口として散気用気体入口７を設けた。【０１４２】
上記中空糸膜モジュール１０を使用し、水酸化第二鉄の懸濁液からなり、ＳＳ濃度が２５０ｍｇ／Ｌのモデル水を原水として、外圧全濾過方式により流量４７００Ｌ／ｈの条件で１６分間定流量濾過を行った。そして、濾過運転後、中空糸膜モジュール１０の濾液側から０．２ＭＰａの圧縮空気により逆圧洗浄を実施し、その後、図７に記載のバブリング洗浄を実施した。散気部材４側、導水管５側共にバブリング用の空気流量は１７００ＮＬ／ｈとした。濾過運転中に中空糸膜モジュール１０に供給されたＳＳ供給量に対して、バブリング洗浄により排出されたＳＳ排出量の比率は、９９％であった。【０１４３】
（比較例１）
導水管５の代替として、外周が２１．７ｍｍ、長さが９４０ｍｍの棒状の支持部材を中空糸膜束１５の中央に配置した。その他条件は、上記実施例と同様とした。【０１４４】
上記実施例と同様に、水酸化第二鉄の懸濁液からなり、ＳＳ濃度が２５０ｍｇ／Ｌのモデル水を原水として、外圧全濾過方式により流量４７００Ｌ／ｈの条件で１６分間定流量濾過を行った。そして、中空糸膜モジュール１０の濾液側から０．２ＭＰａの圧縮空気により逆圧洗浄を実施した後、バブリング洗浄を実施した。比較例１では、導水管を用いなかったため、図７における「充水（上側バブリング前）」、「上側バブリング」及び「排水」の工程を省略した。濾過運転中に中空糸膜モジュール１０に供給されたＳＳ供給量に対して、バブリング洗浄において排出されたＳＳ排出量の比率は、８２％であった。【０１４５】
（比較例２）
上記実施例と同様に、長さが９８５ｍｍ、内径が４０ｍｍの円筒状の導水管５を中空糸膜束１５の中心に配置した。導水管５において、固定部材３から長手方向に４７０ｍｍ離れた位置から１００ｍｍの間隔で複数（合計２０個）の管用通気孔５４を形成した。管用通気孔５４は、周方向に９０°の間隔で形成し、孔径は１０ｍｍとした。その他条件は、上記実施例と同様とした。【０１４６】
上記実施例と同様に、水酸化第二鉄の懸濁液からなり、ＳＳ濃度が２５０ｍｇ／Ｌのモデル水を原水として、外圧全濾過方式により流量４７００Ｌ／ｈの条件で１６分間定流量濾過を行った。そして、中空糸膜モジュール１０の濾液側から０．２ＭＰａの圧縮空気により逆圧洗浄を実施した後、バブリング洗浄を実施した。濾過運転中に中空糸膜モジュール１０に供給されたＳＳ供給量に対し、バブリング洗浄において排出されたＳＳ排出量の比率は６３％であった。以上の結果より、上記実施例では、比較例１，２に比べて中空糸膜表面に付着した浮遊汚濁物質の排出性に優れることが分かった。【０１４７】
（実施例２）
実施例１と同様の中空糸膜モジュール１０を使用した。この中空糸膜モジュール１０を用いて、水酸化第二鉄の懸濁液からなり、ＳＳ濃度が２５０ｍｇ／Ｌのモデル水を原水として、外圧全濾過方式により流量４７００Ｌ／ｈの条件で１６分間定流量濾過を行った。そして、濾過運転後、中空糸膜モジュール１０の濾液側から０．２ＭＰａの圧縮空気により逆圧洗浄を実施した。その後、図２５のように下側バブリング工程と上側バブリング工程の両方において間欠バブリングを実施した。バブリング用の空気の流量は、散気部材４側及び導水管５側において共に１７００ＮＬ／ｈとした。濾過運転中に中空糸膜モジュール１０に供給されたＳＳ供給量に対して、バブリング洗浄により排出されたＳＳ排出量の比率は、９９％であった。【０１４８】
（実施例３）
原水のＳＳ濃度を５００ｍｇ／Ｌに変更し、定流量濾過の時間を３０分間に変更した点以外は、上記実施例２と同様に濾過処理及び洗浄を行った。この時のＳＳ排出量の比率は、９６％であった。なお、これと同じ条件で濾過処理を行った後、上記実施例１の形態で洗浄を行った場合には、ＳＳ排出量の比率は８３％であった。この結果より、上側及び下側バブリング工程において間欠バブリングを実施することによる洗浄効果の向上が確認された。【０１４９】
（実施例４）
実施例１と同様の中空糸膜モジュール１０を使用した。この中空糸膜モジュール１０を用いて、水酸化第二鉄の懸濁液からなり、ＳＳ濃度が２５０ｍｇ／Ｌのモデル水を原水として、外圧全濾過方式により流量４７００Ｌ／ｈの条件で１６分間定流量濾過を行った。そして、濾過運転後、中空糸膜モジュール１０の濾液側から０．２ＭＰａの圧縮空気により逆圧洗浄を実施した。その後、図２６のように下側バブリング工程と上側バブリング工程の両方において間欠バブリングを実施した。バブリング用の空気の流量は、散気部材４側及び導水管５側において共に１７００ＮＬ／ｈとした。濾過運転中に中空糸膜モジュール１０に供給されたＳＳ供給量に対して、バブリング洗浄により排出されたＳＳ排出量の比率は、９７％であった。【０１５０】
（実施例５）
原水のＳＳ濃度を５００ｍｇ／Ｌに変更し、定流量濾過の時間を３０分間に変更した点以外は、上記実施例４と同様に濾過処理及び洗浄を行った。この時のＳＳ排出量の比率は、９３％であった。なお、これと同じ条件で濾過処理を行った後、上記実施例１の形態で洗浄を行った場合には、ＳＳ排出量の比率は８３％であった。この結果より、上側及び下側バブリング工程において間欠バブリングを実施することによる洗浄効果の向上が確認された。【０１５１】
（実施例６）
実施例１と同様の中空糸膜モジュール１０を使用した。この中空糸膜モジュール１０を用いて、水酸化第二鉄の懸濁液からなり、ＳＳ濃度が２５０ｍｇ／Ｌのモデル水を原水として、外圧全濾過方式により流量４７００Ｌ／ｈの条件で１６分間定流量濾過を行った。そして、濾過運転後、中空糸膜モジュール１０の濾液側から０．２ＭＰａの圧縮空気により逆圧洗浄を実施した。その後、図２７のように下側バブリング工程において間欠バブリングを実施すると共に、上側バブリング工程を間欠バブリングなしで行った。バブリング用の空気の流量は、散気部材４側及び導水管５側において共に１７００ＮＬ／ｈとした。濾過運転中に中空糸膜モジュール１０に供給されたＳＳ供給量に対して、バブリング洗浄により排出されたＳＳ排出量の比率は、９９％であった。【０１５２】
（実施例７）
原水のＳＳ濃度を５００ｍｇ／Ｌに変更し、定流量濾過の時間を３０分間に変更した点以外は、上記実施例６と同様に濾過処理及び洗浄を行った。この時のＳＳ排出量の比率は、９６％であった。なお、これと同じ条件で濾過処理を行った後、上記実施例１の形態で洗浄を行った場合には、ＳＳ排出量の比率は８３％であった。この結果より、下側バブリング工程において間欠バブリングを実施することによる洗浄効果の向上が確認された。【０１５３】
（実施例８）
実施例１と同様の中空糸膜モジュール１０を使用した。この中空糸膜モジュール１０を用いて、水酸化第二鉄の懸濁液からなり、ＳＳ濃度が２５０ｍｇ／Ｌのモデル水を原水として、外圧全濾過方式により流量４７００Ｌ／ｈの条件で１６分間定流量濾過を行った。そして、濾過運転後、中空糸膜モジュール１０の濾液側から０．２ＭＰａの圧縮空気により逆圧洗浄を実施した。その後、図２２のように下側バブリング工程において向流バブリングを実施した。バブリング用の空気の流量は、散気部材４側及び導水管５側において共に１７００ＮＬ／ｈとした。濾過運転中に中空糸膜モジュール１０に供給されたＳＳ供給量に対して、バブリング洗浄により排出されたＳＳ排出量の比率は、９４％であった。【０１５４】
（実施例９）
原水のＳＳ濃度を５００ｍｇ／Ｌに変更し、定流量濾過の時間を３０分間に変更した点以外は、上記実施例８と同様に濾過処理及び洗浄を行った。この時のＳＳ排出量の比率は、９３％であった。なお、これと同じ条件で濾過処理を行った後、上記実施例１の形態で洗浄を行った場合には、ＳＳ排出量の比率は８３％であった。この結果より、下側バブリング工程において向流バブリングを実施することによる洗浄効果の向上が確認された。【０１５５】
（実施例１０）
実施例１と同様の中空糸膜モジュール１０を使用した。この中空糸膜モジュール１０を用いて、水酸化第二鉄の懸濁液からなり、ＳＳ濃度が２５０ｍｇ／Ｌのモデル水を原水として、外圧全濾過方式により流量４７００Ｌ／ｈの条件で１６分間定流量濾過を行った。そして、濾過運転後、中空糸膜モジュール１０の濾液側から０．２ＭＰａの圧縮空気により逆圧洗浄を実施した。その後、図２３のように上側バブリング工程において気液洗浄を実施した。バブリング用の空気の流量は、散気部材４側及び導水管５側において共に１７００ＮＬ／ｈとした。また気液洗浄時における原水の流量は、原液導入バルブ２２を調整することにより３０００Ｌ／ｈとした。濾過運転中に中空糸膜モジュール１０に供給されたＳＳ供給量に対して、バブリング洗浄により排出されたＳＳ排出量の比率は、９８％であった。【０１５６】
（実施例１１）
原水のＳＳ濃度を５００ｍｇ／Ｌに変更し、定流量濾過の時間を３０分間に変更した点以外は、上記実施例１０と同様に濾過処理及び洗浄を行った。この時のＳＳ排出量の比率は、９６％であった。なお、これと同じ条件で濾過処理を行った後、上記実施例１の形態で洗浄を行った場合には、ＳＳ排出量の比率は８３％であった。この結果より、上側バブリング工程において気液洗浄を実施することによる洗浄効果の向上が確認された。【０１５７】
（実施例１２）
実施例１と同様の中空糸膜モジュール１０を使用した。この中空糸膜モジュール１０を用いて、水酸化第二鉄の懸濁液からなり、ＳＳ濃度が２５０ｍｇ／Ｌのモデル水を原水として、外圧全濾過方式により流量４７００Ｌ／ｈの条件で１６分間定流量濾過を行った。そして、濾過運転後、中空糸膜モジュール１０の濾液側から０．２ＭＰａの圧縮空気により逆圧洗浄を実施した。その後、図２４のようにシャワー洗浄をさらに追加で実施した。シャワー洗浄時における原水の流量は、原液導入バルブ２２を調整することにより３０００Ｌ／ｈとした。バブリング用の空気の流量は、散気部材４側及び導水管５側において共に１７００ＮＬ／ｈとした。濾過運転中に中空糸膜モジュール１０に供給されたＳＳ供給量に対して、バブリング洗浄とシャワー洗浄により排出されたＳＳ排出量の比率は、９９％であった。【０１５８】
（実施例１３）
原水のＳＳ濃度を５００ｍｇ／Ｌに変更し、定流量濾過の時間を３０分間に変更した点以外は、上記実施例１２と同様に濾過処理及び洗浄を行った。この時のＳＳ排出量の比率は、９９％であった。なお、これと同じ条件で濾過処理を行った後、上記実施例１の形態で洗浄を行った場合には、ＳＳ排出量の比率は８３％であった。この結果より、シャワー洗浄を実施することによる洗浄効果の向上が確認された。【０１５９】
なお、上記実施形態を概説すると以下の通りである。【０１６０】
（１）本実施形態に係る中空糸膜モジュールは、外圧濾過式の中空糸膜モジュールであって、束状の複数の中空糸膜を有する中空糸膜束と、前記中空糸膜束が収容される内部空間が形成されたハウジングと、前記内部空間に中空糸膜の洗浄用の気体を分散させる気体供給部と、を備える。前記内部空間は、前記中空糸膜の長手方向の中央よりも上側部分が位置する上部空間と、前記中空糸膜の長手方向の中央よりも下側部分が位置する下部空間と、を有する。前記気体供給部には、前記上部空間の位置で前記ハウジング内に気体を分散させる上側気体供給部と、前記下部空間よりも下側の位置で前記ハウジング内に気体を分散させる下側気体供給部と、が設けられている。【０１６１】
上記中空糸膜モジュールによれば、ハウジングの内部空間が充水された状態で下側気体供給部から気体を分散させ、当該気体が中空糸膜の下端から上昇して中空糸膜が振動することにより、膜表面に付着した浮遊汚濁物質を剥がれ落とすことができる。また上記中空糸膜モジュールによれば、下側気体供給部からだけではなく、上側気体供給部からハウジング内に気体を分散させることができる。そのため、従来のようにバブリング工程において中空糸膜の下端側でのみ気体を分散させる場合と異なり、下端側から気体を分散させた場合に行き渡り難い中空糸膜の上端にまで気体を行き渡らせることができる。これにより、当該上端においても膜表面に付着した浮遊汚濁物質の除去効果を高めることができる。従って、上記中空糸膜モジュールによれば、バブリング工程において中空糸膜全体を洗浄することができる。【０１６２】
（２）上記中空糸膜モジュールにおいて、前記気体供給部は、前記下部空間よりも下側の位置に配置され、前記中空糸膜束の径方向に広がった形状を有し、前記径方向に間隔を空けて複数の散気用通気孔が形成された散気部材と、前記中空糸膜束の内側を上下方向に延びるように配置され、少なくとも前記上部空間に位置する部位において複数の管用通気孔が間隔を空けて形成された管部材と、を含んでいてもよい。前記上側気体供給部は、前記管部材の前記上部空間に位置する部位に形成された前記管用通気孔により構成されていてもよい。前記下側気体供給部は、前記散気部材に形成された前記散気用通気孔により構成されていてもよい。【０１６３】
上記構成によれば、中空糸膜の下端側において、散気部材に形成された通気孔から中空糸膜束の径方向に広がるように気体を分散させてバブリング洗浄することができる。また中空糸膜の上端側においては、管部材に形成された通気孔によって、中空糸膜束の内側から外側に向かって気体を分散させてバブリング洗浄することができる。【０１６４】
（３）上記中空糸膜モジュールにおいて、前記管用通気孔は、前記上部空間及び前記下部空間に位置する部位に形成されていてもよい。また上記中空糸膜モジュールは、前記中空糸膜により濾過される原水が、前記上部空間及び前記下部空間に位置する前記管用通気孔を通って前記ハウジング内に供給されるように構成されていてもよい。【０１６５】
上記構成によれば、濾過工程において、管部材に形成された通気孔から中空糸膜の長手方向の全体に対して原水を供給することができる。これにより、原水の濾過を行いつつ、当該原水の流れによって膜表面に付着した浮遊汚濁物質を中空糸膜の全体に亘って除去することができる。【０１６６】
（４）上記中空糸膜モジュールにおいて、前記管用通気孔は、前記上部空間に位置する部位においてのみ形成されていてもよい。【０１６７】
上記構成によれば、管部材の全体に通気孔が形成される場合に比べて、管部材の加工に要する手間を少なくすることができる。【０１６８】
（５）上記中空糸膜モジュールにおいて、前記管部材と前記散気部材とに対して各々異なる気体供給手段が設けられていてもよい。【０１６９】
上記構成によれば、管部材及び散気部材の各々に対する気体の供給量や供給タイミングなどの条件を目的に応じて適宜切り替えることができる。【０１７０】
（６）上記中空糸膜モジュールにおいて、前記散気部材は、前記中空糸膜束の径方向に広がった形状を有し、前記散気用通気孔が前記径方向に間隔を空けて複数形成された板状の本体部と、一方端が前記本体部の下面に接続されると共に他方端側に気体の受け口が形成された筒形状を有し、前記筒内に収容された気体を前記散気用通気孔へ導くための分散孔が形成された気体受け部と、を含んでいてもよい。前記気体受け部は、前記一方端から前記他方端に向かって内径が広がる形状を有していてもよい。【０１７１】
上記構成によれば、バブリング工程においてハウジング内に供給される気体を気体受け口から取り込み易くなる。そのため、気体受け部が一定の内径を有する筒形状からなる場合に比べて、バブリング洗浄をより効率的に行うことができる。【０１７２】
（７）上記中空糸膜モジュールにおいて、前記気体供給部は、前記中空糸膜束の内側を上下方向に延びるように配置され、複数の管用通気孔が間隔を空けて形成された管部材を含んでいてもよい。前記管部材には、前記下部空間よりも下側に位置する下側管内空間と、前記下側管内空間よりも上側に位置する上側管内空間と、を仕切る仕切部が設けられていてもよい。上記中空糸膜モジュールには、前記上側管内空間及び前記下側管内空間の各々に気体を供給するための気体供給手段が設けられていてもよい。前記上側気体供給部は、前記上側管内空間に面し、かつ前記上部空間に位置する前記管部材の部位に形成された前記管用通気孔により構成されていてもよい。前記下側気体供給部は、前記下側管内空間に面する前記管部材の部位に形成された前記管用通気孔により構成されていてもよい。【０１７３】
上記構成によれば、管部材の内部を仕切部によって上側管内空間と下側管内空間とに分離し、各管内空間に対して気体供給可能に構成することで、散気部材を用いることなく管部材のみによって中空糸膜全体をバブリング洗浄することができる。そのため、設備をより簡略化することができ、コスト削減を図ることができる。【０１７４】
（８）上記中空糸膜モジュールにおいて、前記ハウジングには、前記内部空間の気体及び液体を系外へ排出するための抜き口が設けられていてもよい。前記管用通気孔は、前記抜き口の下面よりも上側及び下側に形成されていてもよい。【０１７５】
上記構成によれば、バブリングの開始直後でハウジングの内部空間全体が充水された状態において、上記抜き口の下面よりも上側及び下側の通気孔から分散される気体によってバブリング洗浄することができる。そして、バブリング開始から一定時間経過して上記抜き口から水及び気体が排出され、ハウジング内の液面位置が上記抜き口の下面の高さ位置まで下がった状態でも、管部材に供給される気体の浮力によって管部材内の水を上記抜き口の下面よりも上側の通気孔から気体と共に噴出させ、続いてハウジング内の水を上記抜き口の下面よりも下側の通気孔から管部材内に流入させることができる。これにより、液体と気体の混合流体を上記抜き口の下面よりも上側の通気孔から継続的に噴出させることができるため、中空糸膜上端まで効果的に洗浄することができる。また上記抜き口の下面より上側まで充水された状態では、上記抜き口の下面より上側の位置から分散される気体によって中空糸膜上端まで効果的に洗浄することができる。【０１７６】
（９）上記中空糸膜モジュールにおいて、前記管用通気孔は、周方向において前記上部空間に位置する部位に前記下部空間に位置する部位よりも多数形成されていてもよい。【０１７７】
上記構成によれば、中空糸膜の上端側において周方向の全体に亘って膜表面の洗浄効果を向上させることができる。【０１７８】
（１０）上記中空糸膜モジュールにおいて、前記中空糸膜束は、前記中空糸膜の上端が固定されると共に、下端において前記中空糸膜が一本ずつ固定されない片端フリータイプであってもよい。【０１７９】
上記構成によれば、中空糸膜をバブリングにより容易に振動させることが可能となり、膜表面の洗浄効果をより向上させることができる。【０１８０】
（１１）本発明の他の局面に係る中空糸膜モジュールの洗浄方法は、束状の複数の中空糸膜を有する中空糸膜束がハウジングの内部空間に収容された構成の外圧濾過式の中空糸膜モジュールにおいて、充水された前記内部空間に気体を分散させて前記中空糸膜を洗浄する中空糸膜モジュールの洗浄方法である。前記内部空間は、前記中空糸膜の長手方向の中央よりも上側部分が位置する上部空間と、前記中空糸膜の長手方向の中央よりも下側部分が位置する下部空間と、を有する。上記中空糸膜モジュールの洗浄方法は、前記下部空間よりも下側の位置で前記ハウジング内に気体を分散させることにより前記中空糸膜を洗浄する下側バブリング工程と、前記下側バブリング工程が実施された後、前記上部空間の位置で前記ハウジング内に気体を分散させることにより前記中空糸膜を洗浄する上側バブリング工程と、を備える。【０１８１】
上記中空糸膜モジュールの洗浄方法では、まず、下側バブリング工程において下部空間よりも下側の位置でハウジング内に気体を分散させ、当該気体が中空糸膜の下端から上昇して中空糸膜を振動させることにより、膜表面に付着した浮遊汚濁物質を剥がれ落とすことができる。その後、上側バブリング工程において上部空間の位置でハウジング内に気体を分散させることにより、下側バブリング工程では洗浄が不十分な中空糸膜の上端においても膜表面をより確実に洗浄することができる。【０１８２】
また上側バブリング工程の後に下側バブリング工程を行った場合には、上側バブリング工程において中空糸膜の上端が洗浄された後に、下側バブリング工程において膜表面から剥がれた浮遊汚濁物質が上昇して上端に再付着してしまう。これに対して、上記中空糸膜モジュールの洗浄方法では、下側バブリング工程の後に上側バブリング工程を行うことにより、中空糸膜の上端への浮遊汚濁物質の再付着を防ぎ、中空糸膜全体を洗浄することができる。【０１８３】
（１２，１３）上記中空糸膜モジュールの洗浄方法では、前記下側バブリング工程及び前記上側バブリング工程の少なくとも一方において、前記ハウジング内に気体を予め定められた時間供給するバブリングオンと、前記ハウジング内への気体の供給を予め定められた時間停止するバブリングオフと、を繰り返す間欠バブリングを実施してもよい。また前記下側バブリング工程のみにおいて前記間欠バブリングを実施してもよい。【０１８４】
この方法によれば、気体供給時における中空糸膜束の膨らみと気体供給の停止時における萎みとを繰り返しつつバブリング洗浄することができるため、ハウジング内に気体を継続的に供給する場合に比べて中空糸膜束の外周部の洗浄効果をより高めることができる。また中空糸膜束の膨らみと萎みとの繰り返しにより、膜の揺動とは異なる洗浄効果を与えることができる。しかも、ハウジング内に気体を間欠的に供給することにより、中空糸膜束において気泡流が通過する経路を気体供給のサイクル毎に変えることができる。このため、中空糸膜束の断面視において気体の通過量がより均一化され、洗浄効果のムラが生じ難くなる。【０１８５】
（１４）上記中空糸膜モジュールの洗浄方法において、前記下側バブリング工程では、前記内部空間において前記中空糸膜の長手方向に沿って原水の水流を発生させると共に、前記内部空間において前記中空糸膜の長手方向に沿って前記水流に対して反対向きの気泡流を発生させる向流バブリングを実施してもよい。【０１８６】
この方法によれば、互いに反対向きの水流と気泡流が衝突することにより強いせん断力が発生し、当該せん断力によって中空糸膜を効果的に洗浄することが可能となる。これにより、中空糸膜の表面に付着した懸濁物質などを効率的に除去することができる。しかも、中空糸膜の長手方向に沿って水流及び気泡流を発生させることで、中空糸膜における長手方向の広い範囲に亘って強いせん断力を作用させることが可能となり、その結果中空糸膜を均一に洗浄することができる。従って、上記中空糸膜モジュールの洗浄方法によれば、強いせん断力によって中空糸膜を均一且つ効果的に洗浄することができる。【０１８７】
（１５）上記中空糸膜モジュールの洗浄方法において、前記上側バブリング工程では、前記内部空間に配置された管部材の複数の孔から前記上部空間に向けて原水及び気体を同時に噴出する気液洗浄を実施してもよい。【０１８８】
この方法によれば、気液混合体によって内部空間に強いせん断力を発生させることが可能となり、当該せん断力によって中空糸膜の表面を効果的に洗浄することができる。その結果、中空糸膜の表面に付着した懸濁物質などを効率的に除去することができる。【０１８９】
（１６）上記中空糸膜モジュールの洗浄方法は、前記ハウジング内の水が抜かれた状態で、前記内部空間に配置された管部材の複数の孔から前記内部空間に向けて水をシャワー状に噴出させて前記中空糸膜束を洗浄するシャワー洗浄工程をさらに備えていてもよい。【０１９０】
この方法によれば、中空糸膜束において、水が直接当たる部位は、水からの力を受けて動く。このとき、周囲の空間は空気で満たされているため、動きやすくなっている。このため、中空糸膜束にせん断力を発生させることができて、中空糸膜束を効果的に洗浄することができる。また、水が重力によって中空糸膜束の表面を流れ落ちることによっても、中空糸膜束にせん断力を発生させることができるため、中空糸膜束を流れ落ちる水によっても中空糸膜束を洗浄することができる。
【図１】
2017086313.tif 000003
【図２】
2017086313.tif 000004
【図３】
2017086313.tif 000005
【図４】
2017086313.tif 000006
【図５】
2017086313.tif 000007
【図６】
2017086313.tif 000008
【図７】
2017086313.tif 000009
【図８】
2017086313.tif 000010
【図９】
2017086313.tif 000011
【図１０】
2017086313.tif 000012
【図１１】
2017086313.tif 000013
【図１２】
2017086313.tif 000014
【図１３】
2017086313.tif 000015
【図１４】
2017086313.tif 000016
【図１５】
2017086313.tif 000017
【図１６】
2017086313.tif 000018
【図１７】
2017086313.tif 000019
【図１８】
2017086313.tif 000020
【図１９】
2017086313.tif 000021
【図２０】
2017086313.tif 000022
【図２１】
2017086313.tif 000023
【図２２】
2017086313.tif 000024
【図２３】
2017086313.tif 000025
【図２４】
2017086313.tif 000026
【図２５】
2017086313.tif 000027
【図２６】
2017086313.tif 000028
【図２７】
2017086313.tif 000029
【国際調査報告】
2017086313.tif 000030
2017086313.tif 000031
2017086313.tif 000032
2017086313.tif 000033